(57)【要約】【課題】データ信号の駆動電流を低減する。【解決手段】本発明の一態様に係る表示パネルの駆動方法は、データ線に供給するデータ信号の電圧極性反転周期が３走査以上で、複数の走査線を所定期間ごとに第１及び第２走査順序で切り替えて駆動する表示パネルの駆動方法であって、前記第１及び第２走査順序を設定するときの前記電圧極性反転周期は１フレーム期間で、複数の走査線を第１走査順序で駆動し、データ信号の充放電回数が最大となる表示パターンを第１最大電流パターンとし、第２走査順序は、第１最大電流パターンを表示するときに、データ信号の充放電回数が第１走査順序で第１最大電流パターンを表示したときの１／２となるように設定する。【選択図】図２
2011018020.tif 000002
【特許請求の範囲】
【請求項１】
データ線に供給するデータ信号の電圧極性反転周期が３走査以上で、複数の走査線を所定期間ごとに第１及び第２走査順序で切り替えて駆動する表示パネルの駆動方法であって、
前記第１及び第２走査順序を設定するときの前記電圧極性反転周期は１フレーム期間で、
前記複数の走査線を前記第１走査順序で駆動し、前記データ信号の充放電回数が最大となる表示パターンを第１最大電流パターンとし、
前記第２走査順序は、前記第１最大電流パターンを表示するときに、前記データ信号の充放電回数が前記第１走査順序で前記第１最大電流パターンを表示したときの１／２となるように設定することを特徴とする表示パネルの駆動方法。
【請求項２】
前記複数の走査線を前記第２走査順序で駆動し、前記データ信号の充放電回数が最大となる表示パターンを第２最大電流パターンとし、
前記第１走査順序で前記第２最大電流パターンを表示するときに、前記データ信号の充放電回数が前記第２走査順序で前記第２最大電流パターンを表示したときの１／２となることを特徴とする請求項１に記載の表示パネルの駆動方法。
【請求項３】
第２ｋ−１及び第２ｋ走査線（ｋは自然数）を含む２本以上の走査線を第ｋ走査グループとし、
前記第２走査順序は、前記第１走査順序の奇数走査グループの各走査グループ内の走査順序を逆向きにした走査順序に設定することを特徴とする請求項１又は２に記載の表示パネルの駆動方法。
【請求項４】
前記第１走査順序の各走査グループ内の走査順序を逆向きにした走査順序を第３走査順序、前記第２走査順序の各走査グループ内の走査順序を逆向きにした走査順序を第４走査順序に設定し、
前記複数の走査線を所定期間ごとに前記第１〜第４走査順序で切り替えて駆動することを特徴とする請求項３に記載の表示パネルの駆動方法。
【請求項５】
前記第２ｋ−１走査線と前記第２ｋ走査線との間に、第ｋ走査グループ以外の走査線が形成されていないことを特徴とする請求項３又は４のいずれかに記載の表示パネルの駆動方法。
【請求項６】
前記第２ｋ−１走査線と前記第２ｋ走査線との間に、第ｋ走査グループ以外の少なくとも１本以上の走査線が形成されていることを特徴とする請求項３又は４のいずれかに記載の表示パネルの駆動方法。
【請求項７】
請求項１〜６のいずれかに記載の走査順序で前記複数の走査線を駆動するゲートドライバ。
【請求項８】
前記ゲートドライバは、２本以上のイネーブル信号で制御されることを特徴とする請求項７に記載のゲートドライバ。
【請求項９】
請求項１〜６のいずれかに記載の駆動方法により駆動される表示パネルを備える表示装置。
【請求項１０】
前記表示パネルは、同一列に配置された、第１データ線及び第１走査線に接続される第１表示セルと、前記第１データ線及び第２走査線に接続される第２表示セルと、前記第１データ線に隣接する第２データ線及び第３走査線に接続される第３表示セルと、前記第２データ線及び第４走査線に接続される第４表示セルとを有し、
前記第１及び第２表示セルに第１電圧極性のデータ信号が供給され、前記第３及び第４表示セルに前記第１電圧極性と異なる第２電圧極性のデータ信号が供給されることを特徴とする請求項９に記載の表示装置。
【請求項１１】
前記第１表示セルと前記第２表示セルとの間に前記第３又は第４表示セルが配置されていることを特徴とする請求項１０に記載の表示装置。
【発明の詳細な説明】
【技術分野】
【０００１】
本発明は、表示パネルの駆動方法、ゲートドライバ及び表示装置に関し、特に複数の走査順序を所定期間ごとに切り替えて駆動する表示パネルの駆動方法、ゲートドライバ及び表示装置に関する。
【背景技術】
【０００２】
液晶セルが行列に配置されたマトリックス型の液晶表示パネルは、最も典型的な表示デバイスの１つである。液晶表示パネルには、液晶セルと、液晶セルの行を選択するための走査線と、データ信号を供給するためのデータ線とが設けられている。走査線とデータ線とは、格子状に配置されている。液晶セルは、走査線とデータ線とが交差する位置のそれぞれに配置される。
【０００３】
液晶セルは、画素電極、ＴＦＴ（Thin film transistor）を備えている。画素電極に対向する位置には、共通電極が設けられている。画素電極と共通電極との間には、液晶が満たされている。液晶表示パネルの駆動では、液晶材料の劣化を抑制するために、画素電極に供給されるデータ信号の極性が所定の期間ごとに反転される。この反転駆動には、ドット反転駆動、カラム反転駆動（列反転駆動）、ライン反転駆動、フレーム反転駆動などがある。
【０００４】
ドット反転駆動のなかでも、１Ｈドット反転（１×１ドット反転）駆動は、共通電極の電圧が固定され、隣接するデータ線の電圧極性が異なり、１走査期間ごとにデータ信号の電圧極性を反転する駆動方法である。１Ｈドット反転駆動は、４つの駆動方法のなかで最も画質がよい。その理由の１つに、１Ｈドット反転駆動では、全てのデータ線が１走査期間の最初に所定の中間電圧にプリチャージされるか、又は、全てのデータ線がショートされる（チャージシェアとも呼ばれる）ので、前データ信号の影響を受けないことが挙げられる。しかし、液晶パネルがノーマリーブラックである場合、出現頻度が高い白のラスターパターンで駆動電流が最も大きくなる。
【０００５】
カラム反転駆動は、共通電極の電圧が固定され、隣接するデータ線の電圧極性が異なり、１フレーム期間ごとにデータ信号の電圧極性を反転する駆動方法である。２Ｈドット反転（２×１ドット反転）駆動は、共通電極の電圧が固定され、隣接するデータ線の電圧極性が異なり、２走査期間ごとにデータ信号の電圧極性を反転する駆動方法である。いずれの駆動方法でも、１走査期間ごとにデータ信号の電圧レベルが変化する１走査線おきの横ストライプパターンや市松パターンで最も駆動電流が大きくなる。この表示パターンのときの駆動電流は、１Ｈドット反転駆動の最大駆動電流に比べて１／２に低減される。
【０００６】
液晶は応答速度が遅いために、動きぼけ（motion blur）を生じる。テレビ用途の液晶表示パネルでは、供給されるフレーム間に補間フレームを生成して倍速駆動（１２０Ｈｚ）を行うことで動きぼけを改善している。しかし、この倍速駆動で１Ｈドット反転駆動を行うと駆動電流が大きくなり、データドライバでの発熱量が増大し、高温になりすぎてデータドライバが破壊される可能性がある。
【０００７】
ところで、特許文献１では、１フレーム期間の画像データを監視して、データ信号の充放電回数が最小になるように走査順序を設定して消費電力を低減している。
【先行技術文献】
【特許文献】
【０００８】
【特許文献１】特開平７−６４５１２号公報
【発明の概要】
【発明が解決しようとする課題】
【０００９】
しかしながら、カラム反転駆動での最大駆動電流は、１Ｈドット反転駆動の最大駆動電流の１／２にしかならず、倍速駆動では通常駆動に比べて単位時間当たりの駆動電流が２倍に増加することからデータドライバが高温になる。破壊には至らないまでも、データドライバが高温になると駆動能力が低下し画質が悪くなることがある。
【００１０】
また、特許文献１のように１フレーム期間の画像データを監視して走査順序を設定する方法では、画素数の増加に伴い画像データを監視する回路規模が大きくなる。さらに、ゲートドライバの回路も複雑になり、例えば、２５６出力では８ビット、１０２４出力では１０ビットのデコーダが必要になるため回路規模が大きくなる。
【課題を解決するための手段】
【００１１】
本発明の一態様に係る表示パネルの駆動方法は、データ線に供給するデータ信号の電圧極性反転周期が３走査期間以上で、複数の走査線を所定期間ごとに第１及び第２走査順序で切り替えて駆動する表示パネルの駆動方法であって、前記第１及び第２走査順序を設定するときの前記電圧極性反転周期は１フレーム期間で、複数の走査線を第１走査順序で駆動し、データ信号の充放電回数が最大となる表示パターンを第１最大電流パターンとし、第２走査順序は、第１最大電流パターンを表示するときに、データ信号の充放電回数が第１走査順序で第１最大電流パターンを表示したときの１／２となるように設定する。これにより、最大電流パターンが異なる少なくとも２以上の走査順序を所定期間ごとに切り替えることで、特定の表示パターンでのデータ信号の平均駆動電流を低減して、データドライバの最高到達温度を低下させることができる。
【発明の効果】
【００１２】
本発明の駆動方法によれば、画像データを監視することなく、また、ゲートドライバの回路規模を大きくすることなく、特定の表示パターンでのデータ信号の平均駆動電流を低減してデータドライバの最高到達温度を低下させることができる。
【図面の簡単な説明】
【００１３】
【図１】実施の形態に係る表示装置の構成を示すブロック図である。
【図２】実施の形態１に係る表示パネルの駆動方法を説明するための図である。
【図３】実施の形態１に係る表示パネルの駆動方法を説明するためのタイミングチャートである。
【図４】代表的な表示パターンを示す図である。
【図５】実施の形態１に係る表示装置におけるデータ信号の電圧レベルと駆動電流を示す表である。
【図６】実施の形態２に係る表示パネルの駆動方法を説明するための図である。
【図７】実施の形態２に係る表示パネルの駆動方法を説明するためのタイミングチャートである。
【図８】実施の形態２に係る表示装置におけるデータ信号の電圧レベルと駆動電流を示す表である。
【図９】実施の形態３に係る表示パネルの駆動方法を説明するための図である。
【図１０】実施の形態４に係る表示パネルの駆動方法を説明するための図である。
【図１１】実施の形態５に係る表示パネルの駆動方法を説明するための、表示パネルにおける液晶セルの配置例を示す図である。
【図１２】図１１に示す表示パネルの走査線付近のレイアウトを示す平面図である。
【図１３】図１２のＸＩＩＩ−ＸＩＩＩ断面図である。
【図１４】実施の形態５に係る表示パネルの駆動方法を説明するための、表示パネルにおける液晶セルの配置例を示す図である。
【図１５】図１４に示す表示パネルの走査線付近のレイアウトを示す平面図である。
【図１６】図１５のＸＶＩ−ＸＶＩ断面図である。
【図１７】表示パネルにおける液晶セルの配置例を示す図である。
【図１８】データ線総数が２倍のときの液晶セルの配置例を示す図である。
【図１９】データ線総数が２倍のときの液晶セルの配置例を示す図である。
【図２０】１画素が４つの液晶セルで構成されるときの配置例を示す図である。
【図２１】１画素が４つの液晶セルで構成されるときのレイアウトを示す平面図である。
【図２２】１画素が４つの液晶セルで構成されるときのレイアウトを示す平面図である。
【図２３】実施の形態で使用するゲートドライバの構成を示す図である。
【図２４】実施の形態で使用するゲートドライバの構成を示す図である。
【図２５】実施の形態で使用するゲートドライバのＣＯＦ又は表示パネル上の配線を示す図である。
【図２６】実施の形態で使用するゲートドライバの構成を示す図である。
【図２７】図２３に示すゲートドライバを用いて、実施の形態１に係る表示パネルの駆動方法を実現するタイミングチャートである。
【図２８】図２３に示すゲートドライバを用いて、実施の形態２に係る表示パネルの駆動方法を実現するタイミングチャートである。
【図２９】実施の形態５に係る表示パネルの駆動方法を説明するためのタイミングチャートである。
【図３０】実施の形態５に係る表示パネルの駆動方法を説明するためのタイミングチャートである。
【図３１】実施の形態６に係る表示パネルの駆動方法を説明するためのタイミングチャートである。
【発明を実施するための形態】
【００１４】
実施の形態１．
発明の実施の形態１に係る表示装置の構成について、図１を参照して説明する。図１は、本実施の形態に係る液晶表示装置１の構成を示すブロック図である。図１に示すように、液晶表示装置１は、液晶表示パネル２、データドライバ３、ゲートドライバ４、タイミングコントローラ５を備えている。なお、ここでは図示していないが、液晶表示装置１は、液晶表示パネル２の背面から光を照射するバックライト、データドライバ３及びゲートドライバ４などに電源電圧を供給する電源などを備えている。
【００１５】
液晶表示パネル２には、列方向（垂直方向）に延びる複数のデータ線Ｘ１〜Ｘｍと、行方向（水平方向）に延びる複数の走査線Ｙ１〜Ｙｎとが格子状に形成されている。データ線と走査線の交点には、表示セルとして機能する液晶セル８が形成されている。
【００１６】
液晶セル８は、スイッチ素子として機能するＴＦＴ（Thin Film Transistor）６、画素電極７を備えている。各液晶セル８では、画素電極７とそれに対向する共通電極との間に液晶が満たされている。ＴＦＴ６のゲート電極は走査線Ｙ１〜Ｙｎにそれぞれ接続され、ソース電極はデータ線Ｘ１〜Ｘｍにそれぞれ接続され、ドレイン電極は画素電極７にそれぞれ接続されている。共通電極には固定された電圧（Ｖｃｏｍ）が供給される。また、各液晶セル８は、赤色（Ｒ）、緑色（Ｇ）、青色（Ｂ）の３色のうちいずれか１色のカラーフィルタによって被覆されている。１画素は、ＲＧＢの３つの液晶セル８で構成される。
【００１７】
画素電極７と他の行の画素電極７との間には寄生容量が存在する。このため、すでにデータ信号が書き込まれた画素電極７が、後にデータ信号が書き込まれる他の行の画素電極７の電位変動により、すでに書き込まれた画素電極７の電位が変動する場合がある。以下、この寄生容量に起因する電位変動をカップリングノイズと記す。このカップリングノイズを抑制するために、画素電極７と他の行の画素電極７との間には、画素電極７と同一層で水平方向に延びる補助容量線９が設けられている。この補助容量線９は、補助容量とシールドの２つの機能を備える。補助容量線９には、Ｖｃｏｍと等しい値又は略等しい値の固定された電圧が供給される。
【００１８】
一般に、液晶表示装置におけるデータ信号の電圧極性（単に極性と記すことがある）には、正極と負極がある。また、データ信号の電圧レベル（階調）には、明と暗がある。電圧レベルが２５６階調であれば、極性が正極で電圧レベルが明（最高輝度）のデータ信号Ｖ２５５ｐ、極性が負極で電圧レベルが明（最高輝度）のデータ信号Ｖ２５５ｎ、極性が正極で電圧レベルが暗（最低輝度）のデータ信号Ｖ０ｐ、極性が負極で電圧レベルが暗（最低輝度）のデータ信号Ｖ０ｎの４つのデータ信号はそれぞれ異なる電圧値である。
【００１９】
なお、ここでは、液晶表示パネル２は、ノーマリーブラックであるとして説明する。従って、液晶表示パネル２での表示は、データ信号がＶｃｏｍ付近の電圧Ｖ０ｐ、Ｖ０ｎでは暗くなり、Ｖｃｏｍから離れた電圧Ｖ２５５ｐ、Ｖ２５５ｎだと明るくなる。
【００２０】
タイミングコントローラ５は、供給される垂直同期信号Ｖｓｙｎｃ、水平同期信号Ｈｓｙｎｃ、ドットクロックｄＣＬＫ、画像データＤＲ、ＤＧ、ＤＢなどから、データドライバ３及びゲートドライバ４に駆動に必要な信号を生成して供給する。なお、倍速駆動の補間フレームは、タイミングコントローラ５の前段の画像信号処理部（不図示）で生成される。
【００２１】
データドライバ３は、データ線Ｘ１〜Ｘｍにデータ信号を供給する。本実施の形態では、いわゆるカラム反転駆動が採用される。すなわち、隣接するデータ線に供給するデータ信号の電圧極性が異なり、データ信号の電圧極性を１フレーム期間ごとに反転する。従って、各液晶セル８の電圧極性は、１フレーム期間ごとに反転される。なお、データドライバ３から遠い液晶セル８ではデータ信号の波形なまりにより書き込み率が悪くなることがある。波形なまりにより画素電極７への書き込み率が悪くなるときには、１つのデータ線Ｘを液晶表示パネル２の上下２カ所から同時に駆動するのが好ましい。データドライバ３は、高速動作、高電圧精度が要求されるので、シリコンなどの半導体基板に回路を形成して製造される。
【００２２】
液晶表示パネル２のデータ線Ｘ１〜Ｘｍ及び液晶セル８は容量負荷であり、電圧が安定した状態では電流が流れない。前述のとおり、各液晶セル８の電圧極性は、１フレーム期間ごとに反転する。しかし、データ線Ｘ１〜Ｘｍの寄生容量が数百ｐＦ（ピコファラド）に対して液晶セル８の容量は数百ｆＦ（フェムトファラド）である。このため、データ信号の駆動電流に比べ液晶セル８の充放電電流は約１／１０００となり、ほとんど無視することができる。従って、カラム反転駆動では、データ信号の電圧レベルが変化しないときには駆動電流は流れないと考えてよい。
【００２３】
ゲートドライバ４は、走査線Ｙ１〜Ｙｎに走査信号（Ｖｇｏｎ、Ｖｇｏｆｆ）を供給する。垂直ブランキング期間に、すべての走査線Ｙ１〜Ｙｎは、ＴＦＴ６がターンオフする電圧Ｖｇｏｆｆが供給されている。ＴＦＴ６がターンオンする電圧Ｖｇｏｎを所定の期間だけ対応する走査線Ｙに供給することを、走査線Ｙを駆動する（又は選択する）と記す。なお、走査信号の波形なまりを低減するために、液晶表示パネル２の左右２カ所にゲートドライバ４を実装し、１つの走査線を左右２カ所から同時に駆動するのが好ましい。ゲートドライバ４は、半導体基板に回路を形成してもよいが、データドライバ３に比べ、動作速度、出力電圧精度が高くないので、液晶表示パネル２上に回路を形成してもよい。
【００２４】
ここでは、フルＨＤ（１９２０×１０８０画素）に対応する画素数を有するカラー液晶表示パネルについて説明する。フルＨＤのカラー液晶表示パネルでは、データ線は５７６０本で、走査線は１０８０本である。本実施の形態では、連続する２つの走査線Ｙ２ｋ−１、Ｙ２ｋ（ｋ：自然数）を第ｋ走査グループ（図では第ｋＧｒと記すことがある）として説明する。走査線Ｙ１、Ｙ２は第１走査グループ、走査線Ｙ３、Ｙ４は第２走査グループ、走査線Ｙ５、Ｙ６は第３走査グループ、走査線Ｙ７、Ｙ８は第４走査グループ、走査線Ｙ９、Ｙ１０は第５走査グループ、・・・、走査線Ｙ１０７９、Ｙ１０８０は第５４０走査グループである。
【００２５】
また、連続する８つの走査線を１つの走査ブロックとして説明する。走査線Ｙ１〜Ｙ８は第１走査ブロック、走査線Ｙ９〜Ｙ１６は第２走査ブロック、・・・、走査線Ｙ１０７３〜Ｙ１０８０は第１３５走査ブロックである。以下、主として、第１走査ブロックの走査順序について説明する。第１走査ブロック以外の走査ブロックについては第１走査ブロックと同様の走査順序で駆動される。
【００２６】
なお、以下の説明において、走査線Ｙ１に接続される液晶セル８を液晶セル「１」、走査線Ｙ２に接続される液晶セル８を液晶セル「２」、・・・、走査線Ｙｎに接続される液晶セル８を液晶セル「ｎ」と記すことがある。また、相対的な位置関係から、第ｋ走査グループに属する走査線Ｙ２ｋ−１に接続される液晶セル８を液晶セル「２ｋ−１」、走査線Ｙ２ｋに接続される液晶セル８を液晶セル「２ｋ」、１つ前の走査グループに属する走査線Ｙ２ｋ−３に接続される液晶セル８を液晶セル「２ｋ−３」、走査線Ｙ２ｋ−２に接続される液晶セル８を液晶セル「２ｋ−２」と記すことがある。
【００２７】
１フレーム期間の走査グループの走査順序は、第１走査グループ→第２走査グループ→第３走査グループ→第４走査グループ→第５走査グループ→・・・→第５４０走査グループの順に駆動される。そして、走査グループ内の走査順序において、奇数走査線Ｙ２ｋ−１が先に駆動され、偶数走査線Ｙ２ｋが後に駆動される走査順序を順走査、偶数走査線Ｙ２ｋが先に駆動され、奇数走査線Ｙ２ｋ−１が後に駆動される走査順序を逆走査と記す。
【００２８】
図２に、本実施の形態における１走査ブロック内の各走査線の走査順序を示す。実線で囲まれた数字１、２は、その走査グループが順走査であることを示し、点線で囲まれた数字２、１は逆走査であることを示している。その走査グループにおいて、１は対応する走査線が先に駆動され、２は対応する走査線が１の後に駆動されることを意味する。走査順序Ａは、従来の走査順序と同じで各走査グループは順走査である。つまり、第１走査期間から第８走査期間に、走査線Ｙ１→Ｙ２→Ｙ３→Ｙ４→Ｙ５→Ｙ６→Ｙ７→Ｙ８の順に駆動する。走査順序Ｂは、各走査グループは逆走査である。つまり、第１走査期間から第８走査期間に、走査線Ｙ２→Ｙ１→Ｙ４→Ｙ３→Ｙ６→Ｙ５→Ｙ８→Ｙ７の順に駆動する。
【００２９】
走査順序Ｃは、第１及び第３走査グループは順走査で、第２及び第４走査グループは逆走査である。つまり、走査線Ｙ１→Ｙ２→Ｙ４→Ｙ３→Ｙ５→Ｙ６→Ｙ８→Ｙ７の順に駆動する。走査順序Ｄは、第１及び第３走査グループは逆走査で、第２及び第４走査グループは順走査である。つまり、走査線Ｙ２→Ｙ１→Ｙ３→Ｙ４→Ｙ６→Ｙ５→Ｙ７→Ｙ８の順に駆動する。
【００３０】
次に、図３を参照して、本実施の形態に係る駆動方法について説明する。図３は、本実施の形態に係る表示パネルの駆動方法を説明するためのタイミングチャートである。図３においては、第１走査ブロックの走査順序のみを記載し、その他の走査ブロックの走査順序については第１走査ブロックと同様であるため省略している。
【００３１】
図３に示すように、タイミングコントローラ５に垂直同期信号Ｖｓｙｎｃが入力されると、クロック信号ＶＣＬＫに基づいて、各フレーム期間の時刻ｔ１にゲートドライバ４に垂直スタート信号ＳＴＶが入力され、その後時刻ｔ２にて各フレーム期間での最初の走査が開始される。
【００３２】
第１フレーム期間では、各走査ブロックにおける８本の走査線は図２において説明した走査順序Ａで駆動される。第１フレーム期間に続く第２フレーム期間では、各走査ブロックにおける８本の走査線は走査順序Ｂで駆動される。第２フレーム期間に続く第３フレーム期間では、各走査ブロックにおける８本の走査線は走査順序Ｃで駆動される。第３フレーム期間に続く第４フレーム期間では、各走査ブロックにおける８本の走査線は走査順序Ｄで駆動される。
【００３３】
次に、走査順序Ａ、Ｂ、Ｃ、Ｄのフレーム間の順序について説明する。走査順序Ａ→走査順序Ｂ→走査順序Ｃ→走査順序Ｄで、再度走査順序Ａに戻り循環して駆動されることをフレーム順序Ａ→Ｂ→Ｃ→Ｄと記す。
【００３４】
このフレーム順序は６通りある。フレーム順序Ａ→Ｂ→Ｃ→Ｄ、フレーム順序Ａ→Ｂ→Ｄ→Ｃ、フレーム順序Ａ→Ｃ→Ｄ→Ｂ、フレーム順序Ａ→Ｄ→Ｃ→Ｂ、フレーム順序Ａ→Ｃ→Ｂ→Ｄ、フレーム順序Ａ→Ｄ→Ｂ→Ｃである。いずれのフレーム順序で駆動してもよい。なお、循環して駆動されるのでフレーム順序Ｂ→Ｃ→Ｄ→Ａなどはフレーム順序Ａ→Ｂ→Ｃ→Ｄと同一であるとみなす。
【００３５】
正極ガンマカーブと負極ガンマカーブは非対称であるため、階調電圧の設定が正しくないときには、画質が悪くなる。そのため、２フレーム期間ごとに走査順序を切り替え、１つの走査順序でデータ信号の電圧極性が正極と負極で１回ずつ駆動するのが好ましい。２フレーム期間ごとに走査順序Ａ、Ｂ、Ｃ、Ｄを切り替えれば８フレーム期間で１回循環する。２フレーム期間ごとに走査順序を切り替える例として、走査順序Ａ（負）→走査順序Ａ（正）→走査順序Ｃ（負）→走査順序Ｃ（正）→走査順序Ｂ（負）→走査順序Ｂ（正）→走査順序Ｄ（負）→走査順序Ｄ（正）などがある。ただし、括弧（）内の正、負は、データ線Ｘ１に供給する１フレーム期間の電圧極性とする。
【００３６】
８フレーム期間で１回循環する他の例として、走査順序Ａ（負）→走査順序Ｃ（正）→走査順序Ｂ（負）→走査順序Ｄ（正）→走査順序Ｃ（負）→走査順序Ａ（正）→走査順序Ｄ（負）→走査順序Ｂ（正）など１フレーム期間ごとに走査順序を切り替えてもよい。８フレーム期間のデータ信号の平均駆動電流は、４フレーム期間のデータ信号の平均駆動電流と同じである。
【００３７】
図３のタイミングチャートの一番下に記述したＸ１は、後述の表示パターン１を表示するときのデータ線Ｘ１に供給されるデータ信号の電圧レベルを示す。図３に示すように、第１及び第３フレーム期間ではＶ０ｎ又はＶ２５５ｎの負極電圧が供給され、第２及び第４フレーム期間ではＶ０ｐ又はＶ２５５ｐの正極電圧が供給される。なお、以下の説明で、第８走査期間と第９走査期間（第２走査ブロックの第１走査期間）でのデータ信号の電圧レベルの変化が分かるように、第９走査期間のデータ信号の電圧レベルを括弧（）で示す。
【００３８】
第１フレーム期間では、第１〜第８走査期間に、データ信号の電圧レベルを明→暗→明→暗→明→暗→明→暗（→明）の順に供給する。このように、明から始まり充放電回数が８回になる順序をデータ信号順序Ａと記す。第２フレーム期間では、データ信号の電圧レベルを暗→明→暗→明→暗→明→暗→明（→暗）の順に供給する。このように、暗から始まり充放電回数が８回になる順序をデータ信号順序Ｂと記す。
【００３９】
従って、データ信号順序Ａ、Ｂは、８走査期間に８回データ信号の電圧レベルが変化するので、データ信号の駆動電流が最大となる。このときのデータ信号の駆動電流を１とし、以下では基準電流値と記す。また、データ信号の駆動電流が最大になる表示パターンを最大電流パターンと記す。
【００４０】
第３フレーム期間では、データ信号の電圧レベルを明→暗→暗→明→明→暗→暗→明（→明）の順に供給する。データ信号の充放電回数は第１及び第２フレーム期間に比べて半減し、駆動電流は基準電流値の１／２（０．５）である。厳密には、フレーム間でデータ信号の電圧極性が反転するので、駆動電流は基準電流の１／２より僅かに多い電流値である。
【００４１】
第４フレーム期間では、データ信号の電圧レベルを暗→明→明→暗→暗→明→明→暗（→暗）の順に供給する。データ信号の充放電回数は第１及び第２フレーム期間に比べて半減し、駆動電流は基準電流値の１／２（０．５）である。従って、第１〜第４フレーム期間の４フレーム期間の平均駆動電流は基準電流値の（１＋１＋０．５＋０．５）／４＝３／４になる。
【００４２】
図４に本発明に関わる８つの表示パターンを示す。図４に示す○は液晶セル８に明（最高輝度）のデータ信号を供給し、●は液晶セル８に暗（最低輝度）のデータ信号を供給することを意味する。
【００４３】
表示パターン１は、「明、暗、明、暗、明、暗、明、暗」である。表示パターン１は、走査順序Ａ、Ｂの最大電流パターンである。表示パターン２は、「明、暗、暗、明、明、暗、暗、明」である。表示パターン２は、走査順序Ｃ、Ｄの最大電流パターンである。また、後述する実施の形態５で説明する走査順序Ｃ'、Ｄ'の最大電流パターンである。
【００４４】
表示パターン３は、「明、暗、明、暗、暗、明、暗、明」である。表示パターン３は、後述する走査順序Ｅ、Ｆの最大電流パターンである。表示パターン４は、「明、暗、暗、明、暗、明、明、暗」である。表示パターン４は、後述する走査順序Ｇ、Ｈの最大電流パターンである。
【００４５】
表示パターン５は、「明、暗、明、暗、明、暗、暗、明」である。表示パターン５は、後述する走査順序Ｐ、Ｑの最大電流パターンである。表示パターン６は、「明、暗、暗、明、明、暗、明、暗」である。表示パターン６は、後述する走査順序Ｒ、Ｓの最大電流パターンである。
【００４６】
表示パターン７は、「明、暗、明、暗、暗、明、明、暗」である。表示パターン７は、後述する走査順序Ｔ、Ｕの最大電流パターンである。表示パターン８は、「明、暗、暗、明、暗、明、暗、明」である。表示パターン８は、後述する走査順序Ｖ、Ｗの最大電流パターンである。なお、走査順序Ｅ、Ｆ、Ｇ、Ｈ、Ｐ、Ｑ、Ｒ、Ｓ、Ｔ、Ｕ、Ｖ、Ｗについては後に詳述する。
【００４７】
表示パターン９は、「明、明、暗、暗、明、明、暗、暗」である。本実施の形態、及び後述する実施の形態２〜４で説明するいずれの走査順序においても、データ信号の駆動電流は基準電流値の１／２である。よって、以降の説明において、表示パターン９を表示したときの駆動電流の説明は割愛する。この表示パターン９は、後述する実施の形態５の走査順序Ａ'、Ｂ'、及び実施の形態６の一部の走査順序の最大電流パターンである。
【００４８】
表示パターン１の反転表示パターンは、「暗、明、暗、明、暗、明、暗、明」で、これを表示パターン１Ｂとする。同様に、表示パターン２〜９の反転表示パターンをそれぞれ表示パターン２Ｂ〜９Ｂとする。
【００４９】
本発明では、駆動電流の観点から、表示パターン１Ｂ〜９Ｂは、それぞれ表示パターン１〜９と同一表示パターンであるとみなす。また、複数のデータ線において、表示パターンｊ（ｊ：１〜９）と反転表示パターンである表示パターンｊＢから構成される組み合わせの表示パターンも表示パターンｊであるとみなす。
【００５０】
例えば、すべてのデータ線で表示パターン１を表示する１走査おきの横ストライプパターンも、表示パターン１と表示パターン１Ｂを１データ線おきに交互に表示する市松パターンも表示パターン１と同一とする。
【００５１】
図５を参照してデータ信号の駆動電流について説明する。図中の○はデータ信号が明、●はデータ信号が暗であることを意味する。そして、図５中の左から右に向かう順序でデータ信号を供給する。また、データ信号の順序の横の数字（１、１／２、３／４）は、各走査順序での基準電流値に対する比較電流値である。なお、本発明では、データドライバ３を構成する増幅器を含む駆動部自身の消費電流や、ロジック部での消費電流を含まない。
【００５２】
まず、表示パターン１の静止画を表示するときの各走査順序Ａ、Ｂ、Ｃ、Ｄにおけるデータ信号の駆動電流について説明する。前述したように表示パターン１を表示するときに、走査順序Ａ、Ｂでは駆動電流が最大になる。これに対して、走査順序Ｃでは、供給するデータ信号の電圧レベルは、図３の第３フレーム期間に示すように、明→暗→暗→明→明→暗→暗→明（→明）で、走査順序Ｄでは、供給するデータ信号の電圧レベルは、図３の第４フレーム期間に示すように、暗→明→明→暗→暗→明→明→暗（→暗）である。
【００５３】
走査順序Ｃ、Ｄでは電圧レベルが変化するのは、第１−第２走査期間、第３−第４走査期間、第５−第６走査期間、第７−第８走査期間の４回である。このため、走査順序Ｃ、Ｄではデータ信号順序Ａ、Ｂに比べて充放電回数が４／８となり、駆動電流は基準電流値の１／２（０．５）である。４又は８フレーム期間に、走査順序Ａ、Ｂ、Ｃ、Ｄで１又は２回ずつ駆動すれば、４又は８フレーム期間の平均駆動電流は（１＋１＋０．５＋０．５）／４＝３／４となる。従って、表示パターン１では、従来の走査順序で駆動するときに比べて駆動電流が低減している。
【００５４】
次に、表示パターン２の静止画を表示するときの各走査順序Ａ、Ｂ、Ｃ、Ｄにおけるデータ信号の駆動電流について説明する。前述したように表示パターン２を表示するときに、走査順序Ｃ、Ｄでは駆動電流が最大になる。これに対して、走査順序Ａでは、供給するデータ信号の電圧レベルは、明→暗→暗→明→明→暗→暗→明（→明）で、走査順序Ｂでは、供給するデータ信号の電圧レベルは、暗→明→明→暗→暗→明→明→暗（→暗）である。
【００５５】
走査順序Ａ、Ｂでは、電圧レベルが変化するのは、第１−第２走査期間、第３−第４走査期間、第５−第６走査期間、第７−第８走査期間の４回である。このため、走査順序Ａ、Ｂではデータ信号順序Ａ、Ｂに比べて充放電回数が４／８となり、駆動電流は基準電流値の１／２（０．５）である。４又は８フレーム期間に、走査順序Ａ、Ｂ、Ｃ、Ｄで１又は２回ずつ駆動すれば、４又は８フレーム期間の平均駆動電流は（１＋１＋０．５＋０．５）／４＝３／４となる。
【００５６】
なお、従来の走査順序（走査順序Ａ）で、表示パターン２を表示するときの駆動電流は、基準電流値の１／２である。従って、表示パターン２では、従来の走査順序で駆動するとき比べて平均駆動電流が増加している。このように、本発明では、特定の表示パターン（走査順序Ａにおいては、表示パターン１が特定の表示パターンに該当する）を表示するときのデータ信号の平均駆動電流を低減する技術であり、すべての表示パターンに対してデータ信号の平均駆動電流を低減する技術ではない。
【００５７】
次に、表示パターン３の静止画を表示するときの各走査順序Ａ、Ｂ、Ｃ、Ｄにおけるデータ信号の駆動電流について説明する。表示パターン３を表示するときに、走査順序Ａでは、供給するデータ信号の電圧レベルは、明→暗→明→暗→暗→明→暗→明（→明）で、走査順序Ｂでは、供給するデータ信号の電圧レベルは、暗→明→暗→明→明→暗→明→暗（→暗）である。
【００５８】
走査順序Ａ、Ｂでは、電圧レベルが変化しないのは、第４−第５走査期間、第８−第９走査期間の２回である。このため、走査順序Ａ、Ｂではデータ信号順序Ａ、Ｂに比べて充放電回数が６／８となり、駆動電流は基準電流値の３／４である。走査順序Ｃでは、供給するデータ信号の電圧レベルは、明→暗→暗→明→暗→明→明→暗（→明）で、走査順序Ｄでは、供給するデータ信号の電圧レベルは、暗→明→明→暗→明→暗→暗→明（→暗）である。
【００５９】
走査順序Ｃ、Ｄでは、電圧レベルが変化しないのは、第２−第３走査期間、第６−第７走査期間の２回である。このため、走査順序Ｃ、Ｄではデータ信号順序Ａ、Ｂに比べて充放電回数が６／８となり、駆動電流は基準電流値の３／４である。いずれの走査順序で駆動しても基準電流値の３／４である。従って、４又は８フレーム期間に、走査順序Ａ、Ｂ、Ｃ、Ｄで１又は２回ずつ駆動すれば、４又は８フレーム期間の平均駆動電流は基準電流値の３／４である。
【００６０】
次に、表示パターン４の静止画を表示するときの各走査順序Ａ、Ｂ、Ｃ、Ｄにおけるデータ信号の駆動電流について説明する。表示パターン４を表示するときに、走査順序Ａでは、供給するデータ信号の電圧レベルは、明→暗→暗→明→暗→明→明→暗（→明）で、走査順序Ｂでは、供給するデータ信号の電圧レベルは、暗→明→明→暗→明→暗→暗→明（→暗）である。走査順序Ａ、Ｂでは、電圧レベルが変化しないのは、第２−第３走査期間、第６−第７走査期間の２回である。このため、走査順序Ａ、Ｂではデータ信号順序Ａ、Ｂに比べて充放電回数が６／８となり、駆動電流は基準電流値の３／４である。
【００６１】
走査順序Ｃでは、供給するデータ信号の電圧レベルは、明→暗→明→暗→暗→明→暗→明（→明）で、走査順序Ｄでは、供給するデータ信号の電圧レベルは、暗→明→暗→明→明→暗→明→暗（→暗）である。走査順序Ｃ、Ｄでは、電圧レベルが変化しないのは、第４−第５走査期間、第８−第９走査期間の２回なので、データ信号順序Ａ、Ｂに比べて充放電回数が６／８なので駆動電流は基準電流値の３／４である。いずれの走査順序で駆動しても基準電流値の３／４である。従って、４又は８フレーム期間に、走査順序Ａ、Ｂ、Ｃ、Ｄで１又は２回ずつ駆動すれば、４又は８フレーム期間の平均駆動電流は基準電流値の３／４である。
【００６２】
次に、表示パターン５の静止画を表示するときの各走査順序Ａ、Ｂ、Ｃ、Ｄにおけるデータ信号の駆動電流について説明する。表示パターン５は、表示パターン１において、液晶セル「７」、「８」の電圧レベルが反転した表示パターンである。
【００６３】
表示パターン５を表示するときに、走査順序Ａでは、供給するデータ信号の電圧レベルは、明→暗→明→暗→明→暗→暗→明（→明）で、走査順序Ｂでは、供給するデータ信号の電圧レベルは、暗→明→暗→明→暗→明→明→暗（→暗）である。走査順序Ａ、Ｂでは、電圧レベルが変化しないのは、第６−第７走査期間、第８−第９走査期間の２回である。このため、走査順序Ａ、Ｂではデータ信号順序Ａ、Ｂに比べて充放電回数が６／８となり、駆動電流は基準電流値の３／４である。
【００６４】
走査順序Ｃでは、供給するデータ信号の電圧レベルは、明→暗→暗→明→明→暗→明→暗（→明）で、走査順序Ｄでは、供給するデータ信号の電圧レベルは、暗→明→明→暗→暗→明→暗→明（→暗）である。走査順序Ｃ、Ｄでは、電圧レベルが変化しないのは、第２−第３走査期間、第４−第５走査期間の２回なので、データ信号順序Ａ、Ｂに比べて充放電回数が６／８なので駆動電流は基準電流値の３／４である。４又は８フレーム期間に、走査順序Ａ、Ｂ、Ｃ、Ｄで１又は２回ずつ駆動すれば、４又は８フレーム期間の平均駆動電流は基準電流値の３／４である。
【００６５】
表示パターン６は、表示パターン２において液晶セル「７」、「８」の電圧レベルが反転した表示パターンである。表示パターン７は、表示パターン３において液晶セル「７」、「８」の電圧レベルが反転した表示パターンである。表示パターン８は、表示パターン４において液晶セル「７」、「８」の電圧レベルが反転した表示パターンである。詳細は省略するが、表示パターン６〜８のいずれの表示パターンでも４又は８フレーム期間の平均駆動電流は基準電流値の３／４である。従って、表示パターン３〜８では、従来の走査順序に比べて駆動電流は変わらない。
【００６６】
従来の走査順序でカラム反転駆動したときのデータ信号の駆動電流が最大になる表示パターンは、表示パターン１の１つの表示パターンしかない。上述の通り、反転表示パターン１Ｂは表示パターン１と同一表示パターンとみなすためである。
【００６７】
これに対し、本実施形態では、平均駆動電流が最大になる表示パターンが複数存在する。図４に示す表示パターン１〜８、及び反転表示パターン１Ｂ〜８Ｂのいずれの表示パターンでも４又は８フレーム期間の平均駆動電流は基準電流値の３／４である。
【００６８】
ところで、８走査期間に明、暗のデータ信号を供給する組み合わせは、２５６通りある。そのうち、明から始まる組み合わせは、１２８通りあり、明４回、暗４回のデータ信号を供給する組み合わせは３５通りある。３５通りのうち、平均駆動電流が基準電流値の３／４（０．７５）になる表示パターンは８通り、９／１６（０．５６２５）になる表示パターンは１６通り、１／２（０．５）になる表示パターンは９通り、１／４（０．２５）になる表示パターンは２通りある。図４に示した表示パターン１〜８は、本実施の形態において、平均駆動電流が基準電流値の３／４になる表示パターンである。
【００６９】
また、明から始まる組み合わせ１２８通りのうち、明３回、暗５回又は明５回、暗３回のデータ信号を供給する組み合わせは、５６通りある。そのときの平均駆動電流の最大値は、基準電流値の５／８（０．６２５）である。
【００７０】
従って、本実施の形態の走査順序でカラム反転駆動すれば、すべての表示パターンにおいて、データ信号の平均駆動電流は、基準電流値の３／４以下になる。つまり、従来の走査順序でカラム反転するときに比べて平均駆動電流の最大値が低下しているので、データドライバ３の最高到達温度を低下させることができる。
【００７１】
従来の走査順序（走査順序Ａ）のカラム反転駆動では、前データ信号の電圧レベルの影響を受け表示ムラを生じるが、本実施形態によれば、表示ムラが改善する表示パターンがある。例えば、横ストライプパターン（暗暗中中暗暗中中など）などである。ここで、輝度が中間調であることを「中」とした。中間調では輝度差が認識されやすく、従来の走査順序では前データ信号が暗である中間調は本来の輝度よりやや暗く見える。
【００７２】
しかし、本実施形態によれば、同一のデータ線Ｘに接続される複数の液晶セル８において、４フレーム期間に、液晶セル「２ｋ−１」（又は液晶セル「２ｋ」）は、同一の走査グループに属する他の液晶セル「２ｋ」（又は液晶セル「２ｋ−１」）に供給されるデータ信号の影響を２回受け、１つ前の走査グループに属する液晶セル「２ｋ−３」及び液晶セル「２ｋ−２」に供給されるデータ信号の影響を１回ずつ受ける。
【００７３】
例えば、液晶セル「２ｋ−３」、液晶セル「２ｋ−２」、液晶セル「２ｋ−１」、液晶セル「２ｋ」に暗、暗、中、中のデータ信号がそれぞれ供給されるときには、液晶セル「２ｋ−１」と液晶セル「２ｋ」は、４フレーム期間に前データ信号として、暗２回、中２回がそれぞれ供給されるので表示ムラが改善する。
【００７４】
実施の形態２．
本発明の実施の形態２に係る表示パネルの駆動方法について、図６〜図８を参照して説明する。本実施の形態では、実施の形態１の走査順序Ａ、Ｂ、Ｃ、Ｄの代わりに、走査順序Ｅ、Ｆ、Ｇ、Ｈを用いる例について説明する。なお、表示装置としては、図１と同様の構成のものを用いることができるため、説明を省略する。図６に、本実施の形態における１走査ブロック内の各走査線の走査順序を示す。
【００７５】
走査順序Ｅは、第１及び第２走査グループは順走査で、第３及び第４走査グループは逆走査である。つまり、走査線Ｙ１→Ｙ２→Ｙ３→Ｙ４→Ｙ６→Ｙ５→Ｙ８→Ｙ７の順に駆動する。走査順序Ｆは、第１及び第２走査グループは逆走査で、第３及び第４走査グループは順走査である。つまり、走査線Ｙ２→Ｙ１→Ｙ４→Ｙ３→Ｙ５→Ｙ６→Ｙ７→Ｙ８の順に駆動する。
【００７６】
走査順序Ｇは、第１及び第４走査グループは順走査で、第２及び第３走査グループは逆走査である。つまり、走査線Ｙ１→Ｙ２→Ｙ４→Ｙ３→Ｙ６→Ｙ５→Ｙ７→Ｙ８の順に駆動する。走査順序Ｈは、第１及び第４走査グループは逆走査で、第２及び第３走査グループは順走査である。つまり、走査線Ｙ２→Ｙ１→Ｙ３→Ｙ４→Ｙ５→Ｙ６→Ｙ８→Ｙ７の順に駆動する。
【００７７】
次に、図７を参照して、本実施の形態に係る駆動方法について説明する。図７は、本実施の形態に係る表示パネルの駆動方法を説明するためのタイミングチャートである。図７に示すように、タイミングコントローラ５に垂直同期信号Ｖｓｙｎｃが入力されると、クロック信号ＶＣＬＫに基づいて、各フレーム期間の時刻ｔ１にゲートドライバ４に垂直スタート信号ＳＴＶが入力され、その後時刻ｔ２にて各フレーム期間での最初の走査が開始される。
【００７８】
第１フレーム期間では、各走査ブロックにおける８本の走査線は図６において説明した走査順序Ｅで駆動される。第１フレーム期間に続く第２フレーム期間では、各走査ブロックにおける８本の走査線は走査順序Ｆで駆動される。第２フレーム期間に続く第３フレーム期間では、各走査ブロックにおける８本の走査線は走査順序Ｇで駆動される。第３フレーム期間に続く第４フレーム期間では、各走査ブロックにおける８本の走査線は走査順序Ｈで駆動される。
【００７９】
図８を参照してデータ信号の駆動電流について説明する。まず、表示パターン１の静止画を表示するときの各走査順序Ｅ、Ｆ、Ｇ、Ｈにおけるデータ信号の駆動電流について説明する。
【００８０】
表示パターン１を表示するときに、走査順序Ｅでは、供給するデータ信号の電圧レベルは、明→暗→明→暗→暗→明→暗→明（→明）で、走査順序Ｆでは、供給するデータ信号の電圧レベルは、暗→明→暗→明→明→暗→明→暗（→暗）である。走査順序Ｅ、Ｆで電圧レベルが変化しないのは、第４−第５走査期間、第８−第９走査期間の２回である。このため、走査順序Ｅ、Ｆではデータ信号順序Ａ、Ｂに比べて充放電回数が６／８となり、駆動電流は基準電流値の３／４である。
【００８１】
走査順序Ｇでは、供給するデータ信号の電圧レベルは、明→暗→暗→明→暗→明→明→暗（→明）で、走査順序Ｈでは、供給するデータ信号の電圧レベルは、暗→明→明→暗→明→暗→暗→明（→暗）である。走査順序Ｇ、Ｈで電圧レベルが変化しないのは、第２−第３走査期間、第６−第７走査期間の２回である。このため、走査順序Ｇ、Ｈではデータ信号順序Ａ、Ｂに比べて充放電回数が６／８となり、駆動電流は基準電流値の３／４である。従って、４又は８フレーム期間に、走査順序Ｅ、Ｆ、Ｇ、Ｈで１又は２回ずつ駆動すれば、４又は８フレーム期間の平均駆動電流は基準電流値の３／４である。
【００８２】
次に、表示パターン２の静止画を表示するときの各走査順序Ｅ、Ｆ、Ｇ、Ｈにおけるデータ信号の駆動電流について説明する。表示パターン２を表示するときに、走査順序Ｅでは、供給するデータ信号の電圧レベルは、明→暗→暗→明→暗→明→明→暗（→明）で、走査順序Ｆでは、供給するデータ信号の電圧レベルは、暗→明→明→暗→明→暗→暗→明（→暗）である。走査順序Ｅ、Ｆで電圧レベルが変化しないのは、第２−第３走査期間、第６−第７走査期間の２回である。このため、走査順序Ｅ、Ｆでは、データ信号順序Ａ、Ｂに比べて充放電回数が６／８となり、駆動電流は基準電流値の３／４である。
【００８３】
走査順序Ｇでは、供給するデータ信号の電圧レベルは、明→暗→明→暗→暗→明→暗→明（→明）で、走査順序Ｈでは、供給するデータ信号の電圧レベルは、暗→明→暗→明→明→暗→明→暗（→暗）である。走査順序Ｇ、Ｈで電圧レベルが変化しないのは、第４−第５走査期間、第８−第９走査期間の２回である。このため、走査順序Ｇ、Ｈではデータ信号順序Ａ、Ｂに比べて充放電回数が６／８となり、駆動電流は基準電流値の３／４である。従って、４又は８フレーム期間に、走査順序Ｅ、Ｆ、Ｇ、Ｈで１又は２回ずつ駆動すれば、４又は８フレーム期間の平均駆動電流は基準電流値の３／４である。
【００８４】
次に、表示パターン３の静止画を表示するときの各走査順序Ｅ、Ｆ、Ｇ、Ｈにおけるデータ信号の駆動電流について説明する。前述したように表示パターン３を表示するときに、走査順序Ｅ、Ｆでは駆動電流が最大になる。これに対して、走査順序Ｇでは、供給するデータ信号の電圧レベルは、明→暗→暗→明→明→暗→暗→明（→明）で、走査順序Ｈでは、供給するデータ信号の電圧レベルは、暗→明→明→暗→暗→明→明→暗（→暗）である。
【００８５】
走査順序Ｇ、Ｈで電圧レベルが変化するのは、第１−第２走査期間、第３−第４走査期間、第５−第６走査期間、第７−第８走査期間の４回である。このため、走査順序Ｇ、Ｈではデータ信号順序Ａ、Ｂに比べて充放電回数が４／８となり、駆動電流は基準電流値の１／２である。４又は８フレーム期間に、走査順序Ｅ、Ｆ、Ｇ、Ｈで１又は２回ずつ駆動すれば、４又は８フレーム期間の平均駆動電流は（１＋１＋０．５＋０．５）／４＝３／４となる。
【００８６】
次に、表示パターン４の静止画を表示するときの各走査順序Ｅ、Ｆ、Ｇ、Ｈにおけるデータ信号の駆動電流について説明する。前述したように表示パターン４を表示するときに、走査順序Ｇ、Ｈでは、駆動電流が最大になる。これに対して、走査順序Ｅでは、供給するデータ信号の電圧レベルは、明→暗→暗→明→明→暗→暗→明（→明）で、走査順序Ｆでは、供給するデータ信号の電圧レベルは、暗→明→明→暗→暗→明→明→暗（→暗）である。
【００８７】
走査順序Ｅ、Ｆで電圧レベルが変化するのは、第１−第２走査期間、第３−第４走査期間、第５−第６走査期間、第７−第８走査期間の４回である。このため、走査順序Ｅ、Ｆではデータ信号順序Ａ、Ｂに比べて充放電回数が４／８となり、駆動電流は基準電流値の１／２である。４又は８フレーム期間に、走査順序Ｅ、Ｆ、Ｇ、Ｈで１又は２回ずつ駆動すれば、４又は８フレーム期間の平均駆動電流は（１＋１＋０．５＋０．５）／４＝３／４となる。
【００８８】
なお、図８においては図示してないが、同様に、表示パターン５〜８、表示パターン１Ｂ〜８Ｂの静止画を表示するときの各走査順序Ｅ、Ｆ、Ｇ、Ｈにおける４又は８フレーム期間の平均駆動電流は基準電流値の３／４である。
【００８９】
走査順序Ｅ、Ｆ、Ｇ、Ｈのフレーム間の順序については、走査順序Ａ、Ｂ、Ｃ、Ｄと同様に、６つのフレーム順序がある。さらに、極性を考慮して、走査順序Ｅ（負）→走査順序Ｇ（正）→走査順序Ｆ（負）→走査順序Ｈ（正）→走査順序Ｇ（負）→走査順序Ｅ（正）→走査順序Ｈ（負）→走査順序Ｆ（正）などで駆動してもよい。
【００９０】
実施の形態３．
本発明の実施の形態３に係る表示パネルの駆動方法について図９を参照して説明する。本実施の形態では、実施の形態１、２の走査順序Ａ〜Ｄ、Ｅ〜Ｈの代わりに、走査順序Ｐ、Ｑ、Ｒ、Ｓを用いる例について説明する。なお、表示装置としては、図１と同様の構成のものを用いることができるため、説明を省略する。図９に、本実施の形態における１走査ブロック内の各走査線の走査順序を示す。
【００９１】
走査順序Ｐは、第１、第２及び第３走査グループは順走査で、第４走査グループは逆走査である。つまり、走査線Ｙ１→Ｙ２→Ｙ３→Ｙ４→Ｙ５→Ｙ６→Ｙ８→Ｙ７の順に駆動する。走査順序Ｑは、第１、第２及び第３走査グループは逆走査で、第４走査グループは順走査である。つまり、走査線Ｙ２→Ｙ１→Ｙ４→Ｙ３→Ｙ６→Ｙ５→Ｙ７→Ｙ８の順に駆動する。
【００９２】
走査順序Ｒは、第１、第３及び第４走査グループは順走査で、第２走査グループは逆走査である。つまり、走査線Ｙ１→Ｙ２→Ｙ４→Ｙ３→Ｙ５→Ｙ６→Ｙ７→Ｙ８の順に駆動する。走査順序Ｓは、第１、第３及び第４走査グループは逆走査で、第２走査グループは順走査である。つまり、走査線Ｙ２→Ｙ１→Ｙ３→Ｙ４→Ｙ６→Ｙ５→Ｙ８→Ｙ７の順に駆動する。
【００９３】
詳細は省略するが、各走査順序Ｐ、Ｑ、Ｒ、Ｓで、表示パターン１〜４、７、８を表示するときのデータ信号の駆動電流は、基準電流値の３／４である。４又は８フレーム期間に、走査順序Ｐ、Ｑ、Ｒ、Ｓで１又は２回ずつ駆動すれば、４又は８フレーム期間の平均駆動電流は基準電流値の３／４である。
【００９４】
走査順序Ｐ、Ｑで、表示パターン５を表示するときのデータ信号の駆動電流は、基準電流値と同じ電流が流れる。走査順序Ｒ、Ｓで、表示パターン５を表示するときのデータ信号の駆動電流は、基準電流値の１／２である。４又は８フレーム期間に、走査順序Ｐ、Ｑ、Ｒ、Ｓで１又は２回ずつ駆動すれば、４又は８フレーム期間の平均駆動電流は３／４となる。走査順序Ｐ、Ｑ、Ｒ、Ｓのフレーム間の順序については、実施の形態１、２と同様なので説明を省略する。
【００９５】
実施の形態４．
本発明の実施の形態４に係る表示パネルの駆動方法について図１０を参照して説明する。本実施の形態では、実施の形態１、２、３の走査順序Ａ〜Ｄ、Ｅ〜Ｈ、Ｐ〜Ｓの代わりに、走査順序Ｔ、Ｕ、Ｖ、Ｗを用いる例について説明する。なお、表示装置としては、図１と同様の構成のものを用いることができるため、説明を省略する。図１０に、本実施の形態における１走査ブロック内の各走査線の走査順序を示す。
【００９６】
走査順序Ｔは、第１、第２及び第４走査グループは順走査で、第３走査グループは逆走査である。つまり、走査線Ｙ１→Ｙ２→Ｙ３→Ｙ４→Ｙ６→Ｙ５→Ｙ７→Ｙ８の順に駆動する。走査順序Ｕは、第１、第２及び第４走査グループは逆走査で、第３走査グループは順走査である。つまり、走査線Ｙ２→Ｙ１→Ｙ４→Ｙ３→Ｙ５→Ｙ６→Ｙ８→Ｙ７の順に駆動する。
【００９７】
走査順序Ｖは、第２、第３及び第４走査グループは逆走査で、第１走査グループは順走査である。つまり、走査線Ｙ１→Ｙ２→Ｙ４→Ｙ３→Ｙ６→Ｙ５→Ｙ８→Ｙ７の順に駆動する。走査順序Ｗは、第２、第３及び第４走査グループは順走査で、第１走査グループは逆走査である。つまり、走査線Ｙ２→Ｙ１→Ｙ３→Ｙ４→Ｙ５→Ｙ６→Ｙ７→Ｙ８の順に駆動する。
【００９８】
詳細は省略するが、各走査順序Ｔ、Ｕ、Ｖ、Ｗで、表示パターン１〜６を表示するときのデータ信号の駆動電流は、基準電流値の３／４である。４又は８フレーム期間に、走査順序Ｔ、Ｕ、Ｖ、Ｗで１又は２回ずつ駆動すれば、４又は８フレーム期間の平均駆動電流は基準電流値の３／４である。
【００９９】
走査順序Ｔ、Ｕで、表示パターン７を表示するときのデータ信号の駆動電流は、基準電流値と同じ電流が流れる。走査順序Ｖ、Ｗで、表示パターン８を表示するときのデータ信号の駆動電流は、基準電流値の１／２である。４又は８フレーム期間に、走査順序Ｔ、Ｕ、Ｖ、Ｗで１又は２回ずつ駆動すれば、４又は８フレーム期間の平均駆動電流は３／４となる。走査順序Ｔ、Ｕ、Ｖ、Ｗのフレーム間の順序については、実施の形態１、２と同様なので説明を省略する。
【０１００】
実施の形態５．
一般に、カラム反転駆動すると縦ストライプパターンでフリッカを生じることが知られている。本実施の形態では、このフリッカを低減するため、以下に説明する液晶セル８の配置が採用される。図１１は、本発明に係る表示パネルの駆動方法を説明するための表示パネルにおける液晶セルの配置例を示す図である。
【０１０１】
図１１に示すように、格子状に形成された走査線Ｙ０〜Ｙ８、データ線Ｘ１〜Ｘ７の間にそれぞれ液晶セル８が形成されている図１１では、８行×８列の液晶セル８が図示されている。なお、図中斜線で示されている列（ｉ＝０）はダミー列である。
【０１０２】
本実施の形態では、ｉ列目（ただし、ｉは０以上の整数、ｉ＝０はダミー列）に配置される複数の液晶セル８を左右に隣接するデータ線Ｘｉとデータ線Ｘｉ＋１に１行（１走査線）ごとに交互に接続させる。具体的には、１列目において、液晶セル「１」、「３」、「５」、・・・、「１０７９」の奇数行の各液晶セル８はデータ線Ｘ１にそれぞれ接続されており、液晶セル「２」、「４」、「６」、・・・、「１０８０」の偶数行の各液晶セル８はデータ線Ｘ２にそれぞれ接続されている。
【０１０３】
２列目において、液晶セル「１」、「３」、「５」、・・・、「１０７９」の奇数行の各液晶セル８は、データ線Ｘ２にそれぞれ接続されており、液晶セル「２」、「４」、「６」、・・・、「１０８０」の偶数行の各液晶セル８はデータ線Ｘ３にそれぞれ接続されている。３列目以降については、１列目、２列目と同様なので説明を割愛する。すなわち、図１１に示す表示パネルは、１つの列において、１行毎に、隣接する異なるデータ線Ｘに接続された液晶セル８が千鳥配置された表示パネルである。以下、この配置を１段千鳥配置と記す。
【０１０４】
実施の形態１〜４と同様に、データ信号の電圧極性を１フレーム期間ごとに反転する。このため、各液晶セル８の電圧極性は、１フレーム期間ごとに反転される。図１１に示す１段千鳥配置によれば、擬似的に１Ｈドット反転表示になる。従って、縦ストライプパターンのフリッカを低減することができる。なお、最も左端（又は右側）に形成されるダミー列の各液晶セル８は、遮光される。
【０１０５】
実施の形態１〜４においては、１つの走査グループを構成する走査線は連続する２本の走査線であった。しかし、本実施の形態では、走査グループを構成する走査線は１走査線おきの２本の走査線である。すなわち、第ｄ走査グループ（ただしｄは１以上の奇数）は、走査線Ｙ２ｄ−１、Ｙ２ｄ＋１である。第ｅ走査グループ（ただしｅは２以上の偶数）は、走査線Ｙ２ｅ−２、Ｙ２ｅである。
【０１０６】
具体的には、第１走査グループは走査線Ｙ１、Ｙ３、第２走査グループは走査線Ｙ２、Ｙ４、第３走査グループは走査線Ｙ５、Ｙ７、第４走査グループは走査線Ｙ６、Ｙ８、・・・、第５３９走査グループは走査線Ｙ１０７７、Ｙ１０７９、第５４０走査グループは走査線Ｙ１０７８、Ｙ１０８０である。本実施の形態でも走査グループの走査順序は、第１走査グループ→第２走査グループ→第３走査グループ→第４走査グループ→、・・・、→第５３９走査グループ→第５４０走査グループの順に駆動される。
【０１０７】
本実施の形態では、実施の形態１〜４で説明した走査順序を応用する。例えば、実施の形態１を参考にすれば、第１〜第８走査期間に、走査順序Ａ'は、走査線Ｙ１→Ｙ３→Ｙ２→Ｙ４→Ｙ５→Ｙ７→Ｙ６→Ｙ８の順序で駆動する。走査順序Ｂ'は、走査線Ｙ３→Ｙ１→Ｙ４→Ｙ２→Ｙ７→Ｙ５→Ｙ８→Ｙ６の順序で駆動する。走査順序Ｃ'は、走査線Ｙ１→Ｙ３→Ｙ４→Ｙ２→Ｙ５→Ｙ７→Ｙ８→Ｙ６の順序で駆動する。走査順序Ｄ'は、走査線Ｙ３→Ｙ１→Ｙ２→Ｙ４→Ｙ７→Ｙ５→Ｙ６→Ｙ８の順序で駆動する。このとき、走査順序Ａ'、Ｂ'の最大電流パターンは、表示パターン９である。走査順序Ｃ'、Ｄ'の最大電流パターンは、表示パターン２である。
【０１０８】
次に、実施の形態２を参考にすれば、第１〜第８走査期間に、走査順序Ｅ'は、走査線Ｙ１→Ｙ３→Ｙ２→Ｙ４→Ｙ７→Ｙ５→Ｙ８→Ｙ６の順序で駆動する。走査順序Ｆ'は、走査線Ｙ３→Ｙ１→Ｙ４→Ｙ２→Ｙ５→Ｙ７→Ｙ６→Ｙ８の順序で駆動する。走査順序Ｇ'は、走査線Ｙ１→Ｙ３→Ｙ４→Ｙ２→Ｙ７→Ｙ５→Ｙ６→Ｙ８の順序で駆動する。走査順序Ｈ'は、走査線Ｙ３→Ｙ１→Ｙ２→Ｙ４→Ｙ５→Ｙ７→Ｙ８→Ｙ６の順序で駆動する。
【０１０９】
走査順序Ｅ'と走査順序Ｆ'は、最大電流パターンが同じである。走査順序Ｇ'と走査順序Ｈ'は、最大電流パターンが同じである。走査順序Ｅ'、Ｆ'、Ｇ'、Ｈ'の４つの走査順序を１又は２フレーム期間ごとに切り替えて駆動する。実施の形態３を応用した走査順序Ｐ'、Ｑ'、Ｒ'、Ｓ'、実施の形態４を応用した走査順序Ｔ'、Ｕ'、Ｖ'、Ｗ'も同様なので詳細な説明は割愛する。
【０１１０】
データ信号の駆動電流の低減効果は実施の形態１〜４と同じで、すべての表示パターンにおいて、データ信号の平均駆動電流は基準電流値の３／４以下になる。本実施の形態によれば、１走査線おきの横ストライプパターンなど表示パターン１を表示したときの平均駆動電流は基準電流値の１／２になる。２走査線おきの横ストライプパターンより１走査線おきの横ストライプパターンの出現頻度が高い用途の液晶表示パネルでは、本実施の形態のように駆動するのが好ましい。
【０１１１】
図１１に示す１段千鳥配置の液晶表示パネル２において、従来の走査順序（走査順序Ａだけ）でカラム反転駆動し、出現頻度の高い赤色、緑色、青色の単一色パターン（ベタパターン）を表示するとデータドライバ３からの距離が遠いデータ線Ｘの遠端部付近の液晶セル８のコントラストが低下してしまう。
【０１１２】
例えば、緑色のベタパターンを表示するには、データ線Ｘ１、Ｘ４には、８走査期間にわたり同じ暗のデータ信号が供給される。データ線Ｘ２、Ｘ５には、８走査期間に明→暗→明→暗→明→暗→明→暗のデータ信号が供給される。データ線Ｘ３、Ｘ６には、８走査期間に暗→明→暗→明→暗→明→暗→明のデータ信号が供給される。緑色の液晶セル８を駆動するデータ線Ｘ２、Ｘ３、Ｘ５、Ｘ６では、明の１走査期間前のデータ信号は暗なので、データ線Ｘの遠端部付近ではデータ信号の波形なまりによりやや暗めの緑色となってしまう。
【０１１３】
また、図１１に示す１段千鳥配置の液晶表示パネル２において、走査順序Ａ'だけでカラム反転駆動し、出現頻度の高い赤色、緑色、青色のベタパターンを表示すると、従来の走査順序（走査順序Ａだけ）でカラム反転駆動するときに比べて駆動電流は半減する。しかし、データドライバ３からの距離が遠いデータ線Ｘの遠端部付近の液晶セル８では波形なまりにより表示ムラが生じる。
【０１１４】
これに対し、本実施の形態の走査順序でカラム反転駆動し、緑色のベタパターンを表示する場合、データ線Ｘ１、Ｘ４には、８走査期間にわたり同じ暗のデータ信号が供給される。データ線Ｘ２、Ｘ５には、８走査期間に明→明→暗→暗→明→明→暗→暗のデータ信号が供給される。データ線Ｘ３、Ｘ６には、８走査期間に暗→暗→（明→明）→暗→暗→明→明のデータ信号が供給される。
【０１１５】
ここで、データ線Ｘ２とデータ線Ｘ３に挟まれ、データ線Ｘ３に接続する２行目の緑色の液晶セル「２」に注目する。この液晶セル「２」は、走査順序Ａ'、Ｄ'では、第３走査期間に駆動され、走査順序Ｂ'、Ｃ'では、第４走査期間に駆動される。いうまでもないが、第３走査期間は第２走査期間のデータ信号の影響を受け、第４走査期間は第３走査期間のデータ信号の影響を受ける。
【０１１６】
つまり、４フレーム期間のうち走査順序Ａ'、Ｄ'で駆動される２フレーム期間は、１走査期間前のデータ信号が暗であるが、走査順序Ｂ'、Ｃ'で駆動される２フレーム期間は、１走査期間前のデータ信号が明であるため、コントラストがやや改善する。他の行についても同様に、４つの走査順序のうち２つの走査順序で明が連続するのでコントラストを向上することができる。また、このときの駆動電流は、従来の走査順序（走査順序Ａだけ）の駆動電流に比べて半減する。
【０１１７】
また、図１１に示す１段千鳥配置の液晶表示パネル２において、従来の走査順序（走査順序Ａだけ）でカラム反転駆動し、シアン、マゼンダ、イエローのベタパターンを表示するとデータ線Ｘの遠端部付近で１走査おきの表示ムラを生じる。例えば、イエローのベタパターンを表示するには、データ線Ｘ１、Ｘ４は、８走査期間に明→暗→明→暗→明→暗→明→暗のデータ信号が供給される。データ線Ｘ２、Ｘ５は、８走査期間にわたり同じ明のデータ信号が供給される。データ線Ｘ３、Ｘ６は、８走査期間に暗→明→暗→明→暗→明→暗→明のデータ信号が供給される。データ線Ｘ２、Ｘ５は、電圧レベルが変化しないので波形なまりを生じない。しかし、データ線Ｘ１、Ｘ３、Ｘ４、Ｘ６は、１走査期間ごとに電圧レベルが変化するので波形なまりにより画素電極７へのデータ信号の書き込みが不十分になる。
【０１１８】
これに対し、本実施の形態の走査順序でカラム反転駆動し、イエローのベタパターンを表示するには、データ線Ｘ１、Ｘ４は、８走査期間に明→明→暗→暗→明→明→暗→暗のデータ信号が供給される。データ線Ｘ２、Ｘ５は、８走査期間にわたり同じ明のデータ信号が供給される。データ線Ｘ３、Ｘ６は、８走査期間に暗→暗→明→明→暗→暗→明→明のデータ信号が供給される。
【０１１９】
ここで、データ線Ｘ２とデータ線Ｘ３に挟まれ、データ線Ｘ３に接続する２行目の緑色の液晶セル「２」に注目する。走査順序Ａ'、Ｄ'の２フレーム期間は、第３走査期間に駆動され、前データ信号は暗である。走査順序Ｂ'とＣ'の２フレーム期間は、第４走査期間に駆動され、前データ信号が明である。したがって、４フレーム期間のうち２フレーム期間は、明のデータ信号が連続するので書き込み不足をやや改善することができる。
【０１２０】
次に、実施形態１〜５に共通の走査順序の設定手順について説明する。連続する８つの走査線（４つの走査グループ）の走査順序の設定手順を以下に示す。
ａ．任意の走査順序を第１走査順序とする。
ｂ．第２走査順序は、第１走査順序の奇数走査グループ（第１及び第３走査グループ）の走査グループ内の走査順序を逆向き（順走査→逆走査、逆走査→順走査）させた走査順序とする。
ｃ．第３走査順序は、第１走査順序の各走査グループの走査グループ内の走査順序を逆向きにした走査順序とする。
ｄ．第４走査順序は、第２走査順序の各走査グループの走査グループ内の走査順序を逆向きにした走査順序とする。言い換えれば、第４走査順序は、第１走査順序の偶数走査グループの走査グループ内の走査順序を逆向きにした走査順序である。
【０１２１】
前述の走査順序の設定手順において、第２走査順序は、第１走査順序の偶数走査グループ（第２及び第４走査グループ）の走査グループ内の走査順序を逆向きにした走査順序としてもよい。その場合、第４走査順序は、第１走査順序の奇数走査グループの走査グループ内の走査順序を逆向きにした走査順序である。
【０１２２】
ここで、８つの走査線が第１走査順序で駆動され、かつ、データ信号の電圧レベルが１走査期間ごとに変化し、充放電回数が最大になる表示パターン（最大電流パターン）を第１最大電流パターンとする。また、８つの走査線が第２走査順序で駆動され、かつ、データ信号の電圧レベルが１走査期間ごとに変化し、充放電回数が最大になる表示パターン（最大電流パターン）を第２最大電流パターンとする。
【０１２３】
そうすると、第３走査順序の最大電流パターンは第１最大電流パターンである。また、第４走査順序の最大電流パターンは第２最大電流パターンである。そして、第２又は第４走査順序で第１最大電流パターンを表示したときのデータ信号の駆動電流は、基準電流値の１／２である。また、第１又は第３走査順序で第２最大電流パターンを表示したときのデータ信号の駆動電流は、基準電流値の１／２である。
【０１２４】
例えば、実施の形態１において、第１走査順序を走査順序Ａとすると、第２走査順序は走査順序Ｄ、第３走査順序は走査順序Ｂ、第４走査順序は走査順序Ｃとなる。そして、第１最大電流パターンは表示パターン１で、第２最大電流パターンは表示パターン２である。第２、第４走査順序である走査順序Ｄ、Ｃで、表示パターン１を表示するときのデータ信号の駆動電流は、基準電流値の１／２である。また、第１、第３走査順序である走査順序Ａ、Ｂで、表示パターン２を表示するときのデータ信号の駆動電流は、基準電流値の１／２である。
【０１２５】
また、別の例として、実施の形態２において、第１走査順序を走査順序Ｅとすると、第２走査順序は走査順序Ｈ、第３走査順序は走査順序Ｆ、第４走査順序は走査順序Ｇとなる。そして、第１最大電流パターンは表示パターン３で、第２最大電流パターンは表示パターン４である。そして、第２、第４走査順序である走査順序Ｈ、Ｇで、表示パターン３を表示するときのデータ信号の駆動電流は、基準電流値の１／２である。また、第１、第３走査順序である走査順序Ｅ、Ｆで、表示パターン４を表示するときのデータ信号の駆動電流は、基準電流値の１／２である。
【０１２６】
実施の形態１〜５において、第１走査順序と第２走査順序、又は第１走査順序と第４走査順序を１又は２フレーム期間ごとに切り替えて駆動することでデータ信号の平均駆動電流を低減することができる。しかし、駆動期間が短いと画質が悪化する。これとは反対に、第１走査順序と第３走査順序を１又は２フレーム期間ごとに切り替えて駆動すると、画質は改善するが、平均駆動電流を低減することはできない。第１〜第４走査順序の４つの走査順序を１又は２フレーム期間ごとに切り替えて駆動することでデータ信号の平均駆動電流を基準電流値の３／４以下にするだけでなく、画質も改善することができる。
【０１２７】
実施の形態５で説明した走査順序において、データ信号が書き込まれてから１〜３走査期間後の早期にカップリングノイズを受ける液晶セル８と、データ信号が書き込まれてから約１フレーム期間後の終期にカップリングノイズを受ける液晶セル８がある。データ信号が書き込まれて約１フレーム期間後にカップリングノイズを受けても、液晶はすでに正しいデータ信号で応答しているので問題にならない。画質上問題になるのは、早期にカップリングノイズを受ける液晶セル８である。
【０１２８】
この早期にカップリングノイズを受ける液晶セル８について説明する。液晶セル「１」は、液晶セル「２」の画素電極７から１回だけ早期にカップリングノイズの影響を受ける。液晶セル「２」は、早期に他の行の画素電極７からのカップリングノイズの影響を受けない。液晶セル「３」は、液晶セル「２」、「４」の画素電極７から早期に１回ずつ計２回のカップリングノイズの影響を受ける。液晶セル「４」は、液晶セル「５」の画素電極７から早期に１回カップリングノイズの影響を受ける。このように、各行ごとにカップリングノイズの回数が異なるため、画素電極７−画素電極７間のカップリングノイズを抑制しないと画質が悪化する。
【０１２９】
このカップリングノイズを抑制するための液晶セル８の構成について、図１２、１３を参照して説明する。図１２は図１１に示す表示パネルの走査線付近の構成を示す平面図であり、図１３はスルーホールＴＨを含む図１２のＸＩＩＩ−ＸＩＩＩ断面図である。なお、図１２、１３においては、画素電極７、走査線Ｙ、補助容量線９の位置関係がわかる程度に記述したもので、アモルファスシリコンなどの半導体層、液晶層、上部ガラス基板、カラーフィルタ、ブラックマトリクス、共通電極、配向膜、偏光板などは図示しない。
【０１３０】
ここで、補助容量線９は、液晶表示パネル２の表示領域外を垂直方向に延びる垂直補助容量線９ｖと、液晶表示パネル２の表示領域内を水平方向に延びる水平補助容量線９ｈと、液晶セル８ごとに設けるセル補助容量線９ｃを含む。補助容量線９ｖ、９ｈ、９ｃには、Ｖｃｏｍと等しい固定された電圧が供給される。
【０１３１】
走査線Ｙは、下部ガラス基板６１の上部の１層目に水平方向に延びるように形成される。データ線Ｘは、第１絶縁膜６２上の２層目に垂直方向に延びるように形成される。画素電極７は、第２絶縁膜６３上の３層目に形成する。画素電極７は、ＩＴＯ（Indium Tin Oxide）などの透明な金属薄膜で形成される。
【０１３２】
水平補助容量線９ｈは、走査線Ｙの上部の３層目で、画素電極７と隣接する他の行の画素電極７との間に水平方向に延びるように形成される。水平補助容量線９ｈは、画素電極７と同じ層にあるためＩＴＯで形成される。なお、水平補助容量線９ｈは、ブラックマトリクスで遮光されるため透明である必要がない。このため、アルミニウムなど他の低抵抗な金属薄膜で形成してもよい。水平補助容量線９ｈは、補助容量としての機能だけでなく、画素電極７−画素電極７間のカップリングノイズを低減するシールド機能を有している。
【０１３３】
また、すでにデータ信号が書き込まれた液晶セル８は、他の行の走査線Ｙの電位変動により、画素電極７の電位が１走査期間だけ大きく変動する。他の行の走査線ＹがＶｇｏｎになると、画素電極７の電位はＶｇｏｎ側の電位に＋ΔＶだけシフトする。その後、他の行の走査線ＹがＶｇｏｆｆになると、画素電極７の電位は−ΔＶだけシフトし、元の電位に戻る。
【０１３４】
本発明の走査順序で駆動すると、データ信号が書き込まれてから１〜３走査期間後の早期に走査線Ｙからのカップリングノイズの影響を受ける液晶セル８と、約１フレーム期間後の終期に走査線Ｙからのカップリングノイズの影響を受ける液晶セル８がある。早期に走査線Ｙからのカップリングノイズを受ける液晶セル８は、液晶の応答速度が変化し、画質に影響を及ぼすことから、走査線Ｙからのカップリングノイズを低減する構造にするのが好ましい。
【０１３５】
このため、図１３に示すように、走査線Ｙと次の行の画素電極７とを結ぶ線上の２層目にセル補助容量線９ｃを形成するのが好ましい。すなわち、水平補助容量線９ｈとセル補助容量線９ｃは異なる層に形成される。また、水平補助容量線９ｈとセル補助容量線９ｃはスルーホールＴＨを介して接続される。なお、走査線Ｙの寄生容量が小さい方が波形なまりを低減することができる。そのため、走査線Ｙとセル補助容量線９ｃは、重ならないように形成するのが好ましい。
【０１３６】
また、垂直補助容量線９ｖは、液晶表示パネル２の表示領域外でデータ線Ｘと同一層（２層目）に形成される。水平補助容量線９ｈと垂直補助容量線９ｖは、スルーホールＴＨを介して接続される。
【０１３７】
次に、フリッカを低減するための、液晶セル８の配置の他の例について、図１４〜図１６を参照して説明する。図１４は、本発明に係る表示パネルの駆動方法を説明するための表示パネルにおける液晶セルの配置例を示す図である。
【０１３８】
図１４に示す例では、ｉ列目（ただし、ｉは０以上の整数、ｉ＝０はダミー列）に配置される複数の液晶セル８が左右に隣接するデータ線Ｘｉとデータ線Ｘｉ＋１に２行（２走査線）ごとに交互に接続される。具体的には、液晶セル「１」、「２」、「５」、「６」、・・・、「１０７７」、「１０７８」が左側に隣接するデータ線Ｘｉに接続され、液晶セル「３」、「４」、「７」、「８」・・・、「１０７９」、「１０８０」が右側に隣接するデータ線Ｘｉ＋１に接続される。すなわち、図１４に示す表示パネルは、１つの列において、２行毎に、隣接する異なるデータ線Ｘに接続された液晶セル８が千鳥配置された表示パネルである。以下、この配置を２段千鳥配置と記す。
【０１３９】
走査線Ｙからのカップリングノイズを低減するために、例えば、図１又は図１４に示すように、２つの走査線Ｙ２ｋ−２と走査線Ｙ２ｋ−１が隣接して平行に形成され、同様に、２つの走査線Ｙ２ｋと走査線Ｙ２ｋ＋１が隣接して平行に形成される。同一走査グループの２つの液晶セル「２ｋ−１」、「２ｋ」は、走査線Ｙ２ｋ−１と走査線Ｙ２ｋとの間に形成される。この構造にすることで、液晶セル「２ｋ−１」の画素電極７は、走査線Ｙ２ｋ−２との距離が長くなり、同様に液晶セル「２ｋ」の画素電極７は、走査線Ｙ２ｋ＋１との距離が長くなるので、走査線Ｙからのカップリングノイズを低減することができる。
【０１４０】
図１５に、図１４における液晶セル「２」、「３」付近の構成を示す平面図を示す。また、図１６に、図１５のＸＶＩ−ＸＶＩ断面図を示す。図１６に示すように、セル補助容量線９ｃは、走査線Ｙ２と走査線Ｙ３の間に走査線Ｙ２、３と重ならないように形成される。このセル補助容量線９ｃは、容量としては小さく、シールド専用として機能する。
【０１４１】
補助容量としては、第１走査グループの液晶セル「１」と液晶セル「２」との間、及び第２走査グループの液晶セル「３」と液晶セル「４」との間に、セル補助容量線９ｃが画素電極７と重なるように形成される。
【０１４２】
図１７に、液晶表示パネル２における液晶セル８の配置の他の例を示す。画素電極７−画素電極７間には、水平補助容量線９ｈを形成する点は図１２、１５と同じである。異なるのは、走査線Ｙが画素電極７の中央部付近を水平方向に延びて形成されている点である。これにより、他の行の画素電極７までの距離が長くなるので、走査線Ｙからのカップリングノイズの影響を抑制することができる。
【０１４３】
ＩＰＳ（In-Plain-Switching）など横電界方式の液晶表示パネル２では、画素電極７と共通電極がそれぞれ櫛歯状に同一層に形成される。通常、横電界方式の液晶表示パネル２では、画素電極７と他の行の画素電極７との間に共通電極があるので、共通電極がシールドの役割をするためカップリングノイズの影響は少ない。
【０１４４】
また、ＲＧＢ３色の液晶表示パネル２では、液晶セル８は縦長で、画素電極７も縦長の櫛歯状であるために、水平方向に延びる走査線Ｙとの寄生容量は小さく、走査線からのカップリングノイズも小さい。そのため、横電界方式の液晶表示パネル２では、必ずしも図１２、１３又は図１５、１６に示す構造にする必要はなく、画素電極７が他の行の画素電極７や他の行の走査線Ｙからのカップリングノイズを受けない構造であればよい。
【０１４５】
従来、画質が悪いとされたカラム反転駆動が近年になって採用されるようになった背景は、フレーム周波数が６０Ｈｚだとフリッカやクロストークを生じて画質が悪かったが、倍速駆動（１２０Ｈｚ）ではカラム反転駆動の欠点であるフリッカやクロストークが低減されるためである。しかし、高精細なアモルファスＴＦＴの液晶表示パネルでは、ＴＦＴのオン抵抗が高いため、例えば、４倍速駆動（２４０Ｈｚ）などフレーム周波数を１２０Ｈｚより高くすると画素電極７へのデータ信号の書き込み不足により画質が悪化する。
【０１４６】
そこで、画素電極７への書き込み不足を改善するために、図１８に、データ線総数を２倍、走査線総数を１／２にして駆動期間を２倍にし、擬似的に１Ｈドット反転表示する液晶セル８の配置例を示す。画素数が、フルＨＤのカラー液晶パネルでは、データ線総数は、１１５２０本で、走査線総数は、５４０本である。
【０１４７】
ｉを自然数として、ｉ列目の各液晶セル８の左右に奇数データ線Ｘ２ｉ−１及び偶数データ線Ｘ２が設けられる。奇数行の液晶セル８は左側の奇数データ線Ｘ２ｉ−１に接続され、偶数行の液晶セル８は右側の偶数データ線Ｘ２ｉに接続される。また、ｊを自然数として、２ｊ−１行目の液晶セル８と２ｊ行目の液晶セル８の２行で１つの走査線Ｙｊを共用する。
【０１４８】
この配置によれば、データ線Ｘ２ｉとデータ線Ｘ２ｉ＋１の間隔は狭くなるので寄生容量値が大きくなる。この２つのデータ線Ｘ２ｉ、Ｘ２ｉ＋１に、互いに逆極性のデータ信号を供給すると、データ信号の駆動電流が大きくなる。そのため、間隔が狭いデータ線Ｘ２ｉとデータ線Ｘ２ｉ＋１には同一極性のデータ信号を供給する。
【０１４９】
図１８に示すように、あるフレーム期間に、データ線Ｘ１、Ｘ２、Ｘ３、Ｘ４に「＋、−、−、＋」のデータ信号が供給され、次のフレーム期間に、各データ線に供給するデータ信号は反転され、「−、＋、＋、−」のデータ信号が供給される。データ線Ｘ５以降のデータ線には、データ線Ｘ１〜Ｘ４と同様の極性のデータ信号が供給される。このように駆動することで、擬似的に１Ｈドット反転表示することができる。また、データ線Ｘ１の寄生容量値と他のデータ線の寄生容量値を同じにするために、データ線Ｘ１の左側にダミーデータ線を形成する。図示しないが、データ線Ｘ１１５２０の右側にもダミーデータ線が形成される。
【０１５０】
図１９に、液晶セル８の他の配置例を示す。図１９は、データ線総数を２倍、走査線総数を１／２にして駆動期間が２倍で、擬似的に２Ｈドット反転表示する配置例である。図１８と同様に、隣接する２行で１つの走査線を共用する。異なるのは、１行目と４行目の液晶セル８は、左側の奇数データ線に接続し、２行目と３行目の液晶セル８は、右側の偶数データ線に接続している。５行目以降の液晶セル８も１行〜４行目の液晶セル８と同様に接続される。
【０１５１】
図１９に示すように、あるフレーム期間に、データ線Ｘ１〜Ｘ４に「＋、−、−、＋」のデータ信号が供給され、次のフレーム期間に極性を反転して「−、＋、＋、−」のデータ信号が供給される。データ線Ｘ５以降のデータ線には、データ線Ｘ１〜Ｘ４と同様の極性のデータ信号が供給される。このように駆動することで、擬似的に２Ｈドット反転表示することができる。図示しないが、１行目と２行目の液晶セル８を奇数データ線に接続し、３行目と４行目の液晶セル８を偶数データ線に接続すれば、図１９に示した以外の２Ｈドット反転表示をすることができる。
【０１５２】
図２０に、液晶セル８の他の配置例を示す。図２０は、カラーフィルタが４色で、１画素が２×２の４つの液晶セル８で構成されているときの配置を示す。画素数が、フルＨＤのカラー液晶パネルでは、データ線総数は、１９２０×４＝７６８０本で、走査線総数は、１０８０本である。ｊを自然数として、２ｊ−１行目の液晶セル８と２ｊ行目の液晶セル８で１つの走査線Ｙｊを共用する。
【０１５３】
次に、各液晶セル８とデータ線Ｘとの接続について説明する。まず、１列目と２列目について説明する。１列目と２列目の１行目と４行目の液晶セル８はそれぞれ左側の奇数データ線Ｘ１、Ｘ３に接続され、２行目と３行目の液晶セル８はそれぞれ右側の偶数データ線Ｘ２、Ｘ４に接続される。５行目以降の液晶セル８も１行〜４行目の液晶セル８と同様に接続する。
【０１５４】
次に、３列目と４列目について説明する。３列目と４列目の１行目と４行目の液晶セル８はそれぞれ右側の偶数データ線Ｘ６、Ｘ８に接続され、２行目と３行目の液晶セル８はそれぞれ左側の奇数データ線Ｘ５、Ｘ７に接続される。５行目以降の液晶セル８も１行〜４行目の液晶セル８と同様に接続する。５列目以降は、１列〜４列の接続と同様にする。
【０１５５】
ここでも、データ線Ｘ１、Ｘ２、Ｘ３、Ｘ４に、「＋、−、−、＋」のデータ信号を供給する。データ線Ｘ５以降もデータ線Ｘ１〜Ｘ４と同様にする。この駆動により、擬似的に２Ｈドット反転表示が実現できる。ところが、１つの色だけに注目すると、１Ｈドット反転表示なので、実質１Ｈドット反転表示となる。
【０１５６】
２×２の４色配列でイエロー（Ｙ）を追加するときには、イエローは青の補色なので、青とイエローの液晶セル８は同じ列に配置される。また、赤と緑の液晶セル８は同じ列に配置される。赤と緑の色純度を濃くすると、黄金色などをより忠実に表示することができる。
【０１５７】
図２１に、図１８、１９、２０に示す液晶表示パネル２のレイアウトを示す。２行で１つの走査線Ｙを共用する配置である場合、走査線Ｙｊに接続した画素電極７は、走査線Ｙｊ−１、Ｙｊ＋１からそれぞれ１セルピッチ（液晶セル８の縦幅分）だけ離れているので走査線Ｙからのカップリングノイズの影響を受けない。
【０１５８】
また、走査線Ｙｊに接続した２ｊ−１行目と２ｊ行目の液晶セル８を同時に選択するので、２ｊ−１行目の画素電極７と２ｊ行目の画素電極７は互いにカップリングノイズの影響がない。このため、走査線Ｙ上の水平補助容量線９ｈは不要である。このように、不要な水平補助容量線９ｈを削除すれば、データ線Ｘと水平補助容量線９ｈとの間の寄生容量を低減することができる。なお、２ｊ行目の画素電極７と２ｊ＋１行目の画素電極７との間にはカップリングノイズをシールドするための水平補助容量線９ｈは必要である。
【０１５９】
図１８、１９、２０に示す液晶表示パネル２において、データ線−データ線間隔が狭くなると、データ線Ｘの寄生容量は増大するため、データ信号の駆動電流が増大する。その対策として、図２２にデータ線Ｘを等間隔に垂直方向に直線で形成する例を示す。図２２に示すように、奇数行に対し、偶数行の液晶セル８を１／２セルピッチ（液晶セル８の横幅の半分）だけずらして配置する。
【０１６０】
図２２に示す例では、偶数行の液晶セル８を奇数行の液晶セル８に対して１／２セルピッチ分だけ右にずらしている。なお、図示しないが、偶数行の液晶セル８を奇数行の液晶セル８に対して１／２セルピッチ分だけ左にずらしてもよい。特に、図２０の２×２の４色の配置だと、同じ色の液晶セル８が、直線上に揃うので、図形や表を単色で表示する際に、直線がジグザグしない。
【０１６１】
ここで、１／２セルピッチずらす理由について説明する。１／２セルピッチ分ずらさないと、奇数データ線Ｘ２ｉ−１は、液晶セル８の側面部に形成され、偶数データ線Ｘ２ｉは、液晶セル８の中央部に形成される。そのため、奇数データ線Ｘ２ｉ−１と偶数データ線Ｘ２ｉとで寄生容量値が異なってしまう。その結果、データ信号の波形が異なり、画質が悪くなる。
【０１６２】
液晶セル８を１／２セルピッチずらすことにより、奇数データ線Ｘ２ｉ−１は、奇数行では液晶セル８のほぼ中央部に形成され、偶数行では液晶セル８の側面部に形成される。これに対し、偶数データ線Ｘ２ｉは、奇数行では液晶セル８の側面部に形成され、偶数行では液晶セル８の中央部に形成される。従って、データ線Ｘが中央部に形成される液晶セル数と、側面部に形成される液晶セル数が同じになるので、奇数データ線Ｘ２ｉ−１と偶数データＸ２ｉの寄生容量値を同じにすることができる。
【０１６３】
図２２に示すようにデータ線Ｘが等間隔のレイアウトであれば、隣接するデータ線Ｘの極性を異なるようにしてもよい。つまり、あるフレーム期間に、データ線Ｘ１〜Ｘ４に「＋、−、＋、−」のデータ信号を供給し、次のフレーム期間に極性を反転して「−、＋、−、＋」のデータ信号を供給してもよい。
【０１６４】
図１８、１９、２０のいずれの配置であっても、実施の形態１〜５で説明した走査順序で駆動すれば、すべての表示パターンにおいて、データ信号の平均駆動電流を基準電流値の３／４以下にすることができる。
【０１６５】
実施の形態６．
本実施の形態では、連続する４つの走査線を１つの走査グループとして、走査順序の設定手順を説明する。以下の説明において、「２番目」とは、第１走査順序の２番目に選択される走査線のことで、「３番目」とは、第１走査順序の３番目に選択される走査線で、「４番目」とは、第１走査順序の４番目に選択される走査線のことである。
ａ．任意の走査順序を第１走査順序とする。
ｅ．第２走査順序は、第１走査順序の「２番目」、「４番目」、「１番目」、「３番目」の順序とする。
ｆ．第３走査順序は、第１走査順序の「４番目」、「３番目」、「２番目」、「１番目」の順序とする。
ｇ．第４走査順序は、第１走査順序の「３番目」、「１番目」、「４番目」、「２番目」の順序とする。
【０１６６】
例えば、走査線Ｙ１→Ｙ４→Ｙ２→Ｙ３を第１走査順序とすれば、第２走査順序は走査線Ｙ４→Ｙ３→Ｙ１→Ｙ２で、第３走査順序は走査線Ｙ３→Ｙ２→Ｙ４→Ｙ１で、第４走査順序は走査線Ｙ２→Ｙ１→Ｙ３→Ｙ４となる。ここでも、第２、第４走査順序で第１最大電流パターン（この例では表示パターン９）を表示したときのデータ信号の駆動電流は、基準電流値の１／２である。また、第１、第３走査順序で第２最大電流パターン（この例では表示パターン２）を表示したときのデータ信号の駆動電流は、基準電流値の１／２である。
【０１６７】
実施の形態１〜６に共通する設定手順として、第１走査順序が任意の走査順序とすれば、第２走査順序は第１走査順序で充放電回数が最大になる第１最大電流パターンを表示したときに、データ信号の駆動電流が１／２になる走査順序に設定する。第３走査順序は、最大電流パターンが第１最大電流パターンと同じであるが第１走査順序と異なる走査順序に設定する。第４走査順序は、第１最大電流パターンを表示したときに、データ信号の駆動電流が１／２になるが、第２走査順序と異なる走査順序に設定している。
【０１６８】
従って、第２、第４走査順序での駆動電流は、第１最大電流パターンを表示したときに、基準電流値の１／２になる。また、第１、第３走査順序での駆動電流は、第２走査順序で充放電回数が最大になる第２最大電流パターンを表示したときに、駆動電流が基準電流値の１／２になる。
【０１６９】
次に、本発明で使用するゲートドライバ４について説明する。ゲートドライバ４は、複数本のイネーブル信号で制御される。実施の形態１〜４で説明した複数の走査順序を実現するには、図２３に示すゲートドライバ４が用いられる。図２３に示すように、ゲートドライバ４は、シフトレジスタ５１、ＮＡＮＤ回路５２、出力バッファ５３を備えている。
図２３のゲートドライバ４は、２本のイネーブル信号ＯＥ１、ＯＥ２で制御される。
【０１７０】
奇数走査線に対応するＮＡＮＤ回路５２には、イネーブル信号ＯＥ１が入力される。偶数走査線に対応するＮＡＮＤ回路５２には、イネーブル信号ＯＥ２が入力される。また、シフトレジスタ５１から出力される内部信号Ｐは、同一走査グループの走査線に対応する２つのＮＡＮＤ回路５２にそれぞれ入力される。
【０１７１】
シフトレジスタ５１は、垂直クロック信号ＶＣＫの１／２の周波数のクロック信号ＶＣＫ／２で動作する。図２３のゲートドライバ４では、２入力のＮＡＮＤ回路でよいため、デコーダ方式の回路構成に比べ回路規模を小さくすることができる。
【０１７２】
図２４に示す回路は、実施の形態５で説明した走査順序を実現すための回路である。図２４のゲートドライバ４は、２本のイネーブル信号ＯＥ１、ＯＥ２で制御される。シフトレジスタ５１から出力される内部信号Ｐは、図２３と同様に、同一走査グループの２つのＮＡＮＤ回路５２にそれぞれ入力される。
【０１７３】
ただし、実施の形態５では、走査線Ｙ１、Ｙ３が第１走査グループ、走査線Ｙ２、Ｙ４が第２走査グループである。このため、内部信号Ｐ１は、走査線Ｙ１、Ｙ３に対応するＮＡＮＤ回路５２に入力され、内部信号Ｐ２は、走査線Ｙ２、Ｙ４に対応するＮＡＮＤ回路５２に入力される。また、イネーブル信号ＯＥ１は、走査線Ｙ１、Ｙ２に対応するＮＡＮＤ回路５２に入力され、イネーブル信号ＯＥ２は、走査線Ｙ３、Ｙ４に対応するＮＡＮＤ回路５２に入力される。走査線Ｙ５以降に対応する回路も走査線Ｙ１〜Ｙ４に対応する回路と同様にすればよい。
【０１７４】
なお、図２５に示すように、ＣＯＦ（Chip on Film）上又は液晶表示パネル２上の配線５４を、走査線Ｙ４ｋ−２に対応する出力パッドからチップ中心線方向に引き出し、隣接する走査線Ｙ４ｋ−１に対応する出力パッドを迂回して接続先を入れ替えれば、図２３に示すゲートドライバ４でも実施の形態５の走査順序を実現できる。いうまでもないが、同様に行えば、図２４に示すゲートドライバ４で実施の形態１〜４の走査順序を実現できる。
【０１７５】
実施の形態１〜６で説明した全ての走査順序に対応するには、図２６に示すように、４本のイネーブル信号ＯＥ１、ＯＥ２、ＯＥ３、ＯＥ４で制御すればよい。走査線Ｙ１、Ｙ５、Ｙ９、・・・、Ｙ１０７７に対応するＮＡＮＤ回路５２には、イネーブル信号ＯＥ１が入力される。走査線Ｙ２、Ｙ６、Ｙ１０、・・・、Ｙ１０７８に対応するＮＡＮＤ回路５２には、イネーブル信号ＯＥ２が入力される。走査線Ｙ３、Ｙ７、Ｙ１１、・・・、Ｙ１０７９に対応するＮＡＮＤ回路５２には、イネーブル信号ＯＥ３が入力される。走査線Ｙ４、Ｙ８、Ｙ１２、・・・、Ｙ１０８０に対応するＮＡＮＤ回路５２には、イネーブル信号ＯＥ４が入力される。シフトレジスタ５１は、垂直クロック信号ＶＣＫの１／４の周波数のクロック信号ＶＣＫ／４で動作させる。
【０１７６】
ここで、図２７、図２８を参照して、図２３のゲートドライバ４を使用して実施の形態１、２に係る表示パネルの駆動方法を実現する例について説明する。図２７は、図２３に示すゲートドライバ４を用いた、イネーブル信号が２本の時の実施の形態１に係る表示パネルの駆動方法を実現するためのタイミングチャートである。図２８は、図２３に示すゲートドライバ４を用いた、イネーブル信号が２本の時の実施の形態２に係る表示パネルの駆動方法を実現するためのタイミングチャートである。
【０１７７】
各フレーム期間の時刻ｔ１に、垂直スタート信号ＳＴＶが活性化し、クロック信号ＶＣＫ／２の立ち上がりエッジに同期して内部信号Ｐが順次出力される。内部信号Ｐは、Ｐ１→Ｐ２→Ｐ３→Ｐ４→・・・→Ｐ５４０の順に活性化し、それぞれ２走査期間分の活性期間を有する。なお、図２７中に示すイネーブル信号ＯＥ１、ＯＥ２の数字ｎは第ｎ走査期間であることを表す。つまり、１は、第１走査期間に活性化することを意味する。
【０１７８】
時刻ｔ２に、最初のイネーブル信号が活性化すると第１走査期間が開始する。例えば、図２８の第１フレーム期間が走査順序Ｅの場合、イネーブル信号ＯＥ１は、第１、第３、第６、第８走査期間に活性化し、イネーブル信号ＯＥ２は、第２、第４、第５、第７走査期間に活性化すればよい。第２〜第４フレーム期間のその他の走査順序のイネーブル信号については、図示した期間に活性化すればよいので説明を割愛する。
【０１７９】
次に、図２９を参照して、図２４のゲートドライバ４を使用して実施の形態５に係る表示パネルの駆動方法を実現する例について説明する。図２９は、図２４に示すゲートドライバ４を用いた、イネーブル信号が２本の時の実施の形態５に係る表示パネルの駆動方法を実現するためのタイミングチャートである。
【０１８０】
各フレーム期間の時刻ｔ１に、垂直スタート信号ＳＴＶが活性化し、クロック信号ＶＣＫ／２の立ち上がりエッジに同期して内部信号Ｐが順次出力される。内部信号Ｐは、Ｐ１→Ｐ２→Ｐ３→Ｐ４→・・・→Ｐ５４０の順に活性化し、それぞれ２走査期間分の活性期間を有する。
【０１８１】
時刻ｔ２に、最初のイネーブル信号が活性化すると第１走査期間が開始する。第１フレーム期間は走査順序Ａ'では、イネーブル信号ＯＥ１は、第１、第３、第５、第７走査期間に活性化し、イネーブル信号ＯＥ２は、第２、第４、第６、第８走査期間に活性化すればよい。第２〜第４フレーム期間のその他の走査順序のイネーブル信号については図示した期間に活性化すればよいので説明を割愛する。
【０１８２】
次に、図３０を参照して、図２６のゲートドライバ４を使用して実施の形態５に係る表示パネルの駆動方法を実現する例について説明する。図３０は、図２６に示すゲートドライバ４を用いた、イネーブル信号が４本の時の実施の形態５に係る表示パネルの駆動方法を実現するためのタイミングチャートである。
【０１８３】
各フレーム期間の時刻ｔ１に、垂直スタート信号ＳＴＶが活性化し、クロック信号ＶＣＫ／４の立ち上がりエッジに同期して内部信号Ｐが順次出力される。内部信号Ｐは、Ｐ１→Ｐ２→Ｐ３→Ｐ４→・・・→Ｐ２７０の順に活性化し、それぞれ４走査期間分の活性期間を有する。
【０１８４】
時刻ｔ２に、最初のイネーブル信号が活性化すると第１走査期間が開始する。第１フレーム期間は走査順序Ａ'で、イネーブル信号ＯＥ１は第１、第５走査期間だけ活性化し、イネーブル信号ＯＥ２は第３、第７走査期間だけ活性化し、イネーブル信号ＯＥ３は第２、第６走査期間だけ活性化し、イネーブル信号ＯＥ４は第４、第８走査期間だけ活性化する。第２〜第４フレーム期間のその他の走査順序のイネーブル信号については図示した期間に活性化すればよいので説明を割愛する。
【０１８５】
次に、図３１を参照して、図２６のゲートドライバ４を使用して実施の形態６に係る表示パネルの駆動方法を実現する例について説明する。図３１は、図２６に示すゲートドライバ４を用いた、イネーブル信号が４本の時の実施の形態６に係る表示パネルの駆動方法を実現するためのタイミングチャートである。
【０１８６】
各フレーム期間の時刻ｔ１に、垂直スタート信号ＳＴＶが活性化し、クロック信号ＶＣＫ／４の立ち上がりエッジに同期して内部信号Ｐが順次出力される。内部信号Ｐは、Ｐ１→Ｐ２→Ｐ３→Ｐ４→・・・→Ｐ２７０の順に活性化し、それぞれ４走査期間分の活性期間を有する。
【０１８７】
時刻ｔ２に、最初のイネーブル信号が活性化すると第１走査期間が開始する。第１フレーム期間において、イネーブル信号ＯＥ１は第１、第５走査期間に活性化し、イネーブル信号ＯＥ２は第３、第７走査期間に活性化し、イネーブル信号ＯＥ３は第４、第８走査期間に活性化し、イネーブル信号ＯＥ４は第２、第６走査期間に活性化する。第２〜第４フレーム期間のその他の走査順序のイネーブル信号については図示した期間に活性化すればよいので説明を割愛する。
【０１８８】
タイミングコントローラ５は、走査順序の制御を行うために複数のイネーブル信号をゲートドライバ４に出力する。また、各走査順序に対応するように、データドライバ３に供給する画像データの入れ替えも行う。画像データの入れ替えをタイミングコントローラ５で行えば、市販のデータドライバを使用することができる。タイミングコントローラ５は、市販のデータドライバが１走査期間分のサンプリングラッチと１走査期間分のホールドラッチの２ラッチ構成であることを考慮して、データドライバ３とゲートドライバ４を制御する。
【０１８９】
実施の形態１〜４においては、画像データの入れ替えは、データドライバ３の内部で行ってもよい。この場合、データドライバ３には、２走査期間分のサンプリングラッチと、２走査期間分のホールドラッチと、ホールドラッチの次段にマルチプレクサが設けられる。２走査期間分の画像データをサンプリングラッチにラッチし、２走査期間ごとにホールドラッチに一括転送して、マルチプレクサで画像データの入れ替えを行うことができる。しかし、実施の形態５、６では、４走査期間分のラッチ回路が必要になり回路規模が大きくなるので、タイミングコントローラ５で画像データの入れ替えを行うのがよい。
【０１９０】
ゲートドライバ及びタイミングコントローラの回路規模などを考慮すると１つの走査グループを構成する走査線数は２本であることが好ましい。
【０１９１】
以上、説明したように、本発明は、最大電流パターンが異なる少なくとも２以上の走査順序を所定期間ごとに切り替えることで特定の表示パターンの平均駆動電流を低減し、すべての表示パターンで、データ信号の平均駆動電流を基準電流値の３／４以下にすることができる。その結果、データドライバ３の最高到達温度を低下させることができる。また、前データ信号の影響を時間的、空間的に分散して画質を改善することができる。
【０１９２】
なお、本発明の走査順序をデータ信号の電圧極性が１又は２走査期間（１又は２Ｈ）ごとに反転する駆動方法に適用しても電圧極性の反転が優先されるので電流低減効果はない。データ信号の電圧極性反転周期が３走査期間以上のときに電流低減効果を生じる。例えば、データ信号の電圧極性が４走査期間ごとに反転するとき、データ信号の平均駆動電流の最大値は基準電流値の７／８である。データ信号が１フレーム期間ごとに反転するカラム反転駆動が最も平均駆動電流の最大値を低減することができる。
【０１９３】
なお、本発明は上記実施の形態に限られたものではなく、趣旨を逸脱しない範囲で適宜変更することが可能である。本発明では、液晶パネルがノーマリーブラックである例について説明したが、ノーマリーホワイトでもよい。また、有機ＥＬ表示パネルなどにも適用することができる。有機ＥＬ表示パネルでは、通常、データ信号の電圧極性は一定で液晶のように反転駆動しない。
【符号の説明】
【０１９４】
１  液晶表示装置
２  液晶表示パネル
３  データドライバ
４  ゲートドライバ
５  タイミングコントローラ
６  ＴＦＴ
７  画素電極
８  液晶セル
９  補助容量線
５１  シフトレジスタ
５２  ＮＡＮＤ回路
５３  出力バッファ
５４  配線
６１  下部ガラス基板
６２  絶縁膜
６３  絶縁膜
【図１】
2011018020.tif 000003
【図２】
2011018020.tif 000004
【図３】
2011018020.tif 000005
【図４】
2011018020.tif 000006
【図５】
2011018020.tif 000007
【図６】
2011018020.tif 000008
【図７】
2011018020.tif 000009
【図８】
2011018020.tif 000010
【図９】
2011018020.tif 000011
【図１０】
2011018020.tif 000012
【図１１】
2011018020.tif 000013
【図１２】
2011018020.tif 000014
【図１３】
2011018020.tif 000015
【図１４】
2011018020.tif 000016
【図１５】
2011018020.tif 000017
【図１６】
2011018020.tif 000018
【図１７】
2011018020.tif 000019
【図１８】
2011018020.tif 000020
【図１９】
2011018020.tif 000021
【図２０】
2011018020.tif 000022
【図２１】
2011018020.tif 000023
【図２２】
2011018020.tif 000024
【図２３】
2011018020.tif 000025
【図２４】
2011018020.tif 000026
【図２５】
2011018020.tif 000027
【図２６】
2011018020.tif 000028
【図２７】
2011018020.tif 000029
【図２８】
2011018020.tif 000030
【図２９】
2011018020.tif 000031
【図３０】
2011018020.tif 000032
【図３１】
2011018020.tif 000033